(57)【要約】  電子デバイスのデスクトップ上にサービスアイコンを自動的に表示するためのアイコン表示方法、デバイス、およびシステムが提供され、それにより、ユーザはサービスアイコンを使用してサービスアイテムを直接使用するため、ユーザの操作を減らし、ユーザエクスペリエンスを向上させる。具体的な解決策は次のとおりである：電子デバイスは、第1のアプリケーションの第1のサービスアイテムを自動的に決定する（401）；電子デバイスの表示インタフェース上に第1のアイコンを表示し、第1のアイコンは、第1のサービスアイテムに対応する（402）；そして、第1のアイコンで実行された操作に応答して第1のサービスアイテムの対話インタフェースを表示する（403）。
2020537794.tif 000002
【特許請求の範囲】
【請求項１】
タッチスクリーンを備えた電子デバイスに適用されるアイコン表示方法であって、前記方法は、
前記電子デバイスのサービスアイテム使用記録および／またはサービスアイテム使用頻度に基づいて第1のアプリケーションの第1のサービスアイテムを自動的に決定するステップと、
前記電子デバイスのホーム画面に第1のアイコンを表示するステップであって、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項２】
タッチスクリーンを備えた電子デバイスに適用されるアイコン表示方法であって、前記方法は、
カレンダー、時間、または場所のうちの少なくとも1つに基づいて第1のアプリケーションの第1のサービスアイテムを自動的に決定するステップと、
前記電子デバイスのホーム画面に第1のアイコンを表示するステップであって、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項３】
タッチスクリーンを備えた電子デバイスに適用されるアイコン表示方法であって、前記方法は、
シナリオモードに基づいて第1のアプリケーションの第1のサービスアイテムを自動的に決定するステップであって、前記シナリオモードは、車内モード、運転モード、ミュートモード、機内モード、オフラインモード、屋外モード、または会議モードのうちの少なくとも1つを含む、ステップと、
前記電子デバイスのホーム画面に第1のアイコンを表示するステップであって、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項４】
前記ホーム画面が第1の領域を含み、前記電子デバイスのホーム画面に第1のアイコンを表示する前記ステップが、
前記ホーム画面の前記第1の領域に、前記頻繁に使用されるかまたは最近使用された第1のサービスアイテムに対応する前記第1のアイコンを表示するステップであって、前記第1の領域は、前記ホーム画面の下部、上部、右下隅、または左下隅にある、ステップ
を含む、請求項1から3のいずれか一項に記載の方法。
【請求項５】
タッチスクリーンを備えた電子デバイスに適用されるアイコン表示方法であって、前記方法は、
前記電子デバイスのサービスアイテム使用記録および／またはサービスアイテム使用頻度に基づいて第1のアプリケーションの第1のサービスアイテムを自動的に決定するステップと、
前記電子デバイスのHiBoardインタフェースに第1のアイコンを表示するステップであって、前記HiBoardインタフェースはホーム画面から右方向にスライドした後に入るインタフェースであり、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項６】
タッチスクリーンを備えた電子デバイスに適用されるアイコン表示方法であって、前記方法は、
カレンダー、時間、または場所のうちの少なくとも1つに基づいて第1のアプリケーションの第1のサービスアイテムを自動的に決定するステップと、
前記電子デバイスのHiBoardインタフェースに第1のアイコンを表示するステップであって、前記HiBoardインタフェースはホーム画面から右方向にスライドした後に入るインタフェースであり、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項７】
タッチスクリーンを備えた電子デバイスに適用されるアイコン表示方法であって、前記方法は、
シナリオモードに基づいて第1のアプリケーションの第1のサービスアイテムを自動的に決定するステップであって、前記シナリオモードは、車内モード、運転モード、ミュートモード、機内モード、オフラインモード、屋外モード、または会議モードのうちの少なくとも1つを含む、ステップと、
前記電子デバイスのHiBoardインタフェースに第1のアイコンを表示するステップであって、前記HiBoardインタフェースはホーム画面から右方向にスライドした後に入るインタフェースであり、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項８】
前記電子デバイスの前記HiBoardインタフェースが第1の領域を含み、前記電子デバイスのHiBoardインタフェースに第1のアイコンを表示する前記ステップが、
前記電子デバイスの前記HiBoardインタフェース上の前記第1の領域に、前記頻繁に使用されるかまたは最近使用された第1のサービスアイテムに対応する前記第1のアイコンを表示するステップであって、前記第1の領域は前記インタフェースの下部、上部、右下隅、または左下隅にある、ステップ
を含む、請求項5から7のいずれか一項に記載の方法。
【請求項９】
タッチスクリーンを備えた電子デバイスに適用されるアイコン表示方法であって、前記方法は、
前記電子デバイスのサービスアイテム使用記録および／またはサービスアイテム使用頻度に基づいて第1のアプリケーションの第1のサービスアイテムを自動的に決定するステップと、
プリセットジェスチャに応答して第1の表示インタフェースの表示をトリガし、第1のアイコンを前記第1の表示インタフェースに表示するステップであって、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項１０】
タッチスクリーンを備えた電子デバイスに適用されるアイコン表示方法であって、前記方法は、
カレンダー、時間、または場所のうちの少なくとも1つに基づいて第1のアプリケーションの第1のサービスアイテムを自動的に決定するステップと、
プリセットジェスチャに応答して第1の表示インタフェースの表示をトリガし、第1のアイコンを前記第1の表示インタフェースに表示するステップであって、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項１１】
タッチスクリーンを備えた電子デバイスに適用されるアイコン表示方法であって、前記方法は、
シナリオモードに基づいて第1のアプリケーションの第1のサービスアイテムを自動的に決定するステップであって、前記シナリオモードは、車内モード、運転モード、ミュートモード、機内モード、オフラインモード、屋外モード、または会議モードのうちの少なくとも1つを含む、ステップと、
プリセットジェスチャに応答して第1の表示インタフェースの表示をトリガし、第1のアイコンを前記第1の表示インタフェースに表示するステップであって、前記第1のアイコンは前記第1のサービスアイテムに対応する、ステップと、
前記第1のアイコンで実行された操作に応答して前記第1のサービスアイテムの対話インタフェースを表示するステップと
を含む、アイコン表示方法。
【請求項１２】
電子デバイスであって、前記電子デバイスがタッチスクリーンを備え、
前記電子デバイスのサービスアイテム使用記録および／またはサービスアイテム使用頻度に基づいて、第1のアプリケーションの第1のサービスアイテムを自動的に決定するように構成された決定ユニットと、
前記電子デバイスのホーム画面に第1のアイコンを表示するように構成された表示ユニットであって、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項１３】
電子デバイスであって、前記電子デバイスがタッチスクリーンを備え、
カレンダー、時間、または場所のうちの少なくとも1つに基づいて第1のアプリケーションの第1のサービスアイテムを自動的に決定するように構成された決定ユニットと、
前記電子デバイスのホーム画面に第1のアイコンを表示するように構成された表示ユニットであって、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項１４】
電子デバイスであって、前記電子デバイスがタッチスクリーンを備え、
シナリオモードに基づいて第1のアプリケーションの第1のサービスアイテムを自動的に決定するように構成された決定ユニットであって、前記シナリオモードは、車内モード、運転モード、ミュートモード、機内モード、オフラインモード、屋外モード、または会議モードのうちの少なくとも1つを含む、決定ユニットと、
前記電子デバイスのホーム画面に第1のアイコンを表示するように構成された表示ユニットであって、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項１５】
前記ホーム画面が第1の領域を含み、前記表示ユニットが、
前記ホーム画面の前記第1の領域に、前記頻繁に使用されるかまたは最近使用された第1のサービスアイテムに対応する前記第1のアイコンを表示し、前記第1の領域は、前記ホーム画面の下部、上部、右下隅、または左下隅にある、
ように特に構成される、請求項12から14のいずれか一項に記載の電子デバイス。
【請求項１６】
電子デバイスであって、前記電子デバイスはタッチスクリーンを備え、
前記電子デバイスのサービスアイテム使用記録および／またはサービスアイテム使用頻度に基づいて、第1のアプリケーションの第1のサービスアイテムを自動的に決定するように構成された決定ユニットと、
前記電子デバイスのHiBoardインタフェースに第1のアイコンを表示するように構成された表示ユニットであって、前記HiBoardインタフェースはホーム画面から右方向にスライドした後に入るインタフェースであり、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項１７】
電子デバイスであって、前記電子デバイスはタッチスクリーンを備え、
カレンダー、時間、または場所のうちの少なくとも1つに基づいて、第1のアプリケーションの第1のサービスアイテムを自動的に決定するように構成された決定ユニットと、
前記電子デバイスのHiBoardインタフェースに第1のアイコンを表示するように構成された表示ユニットであって、前記HiBoardインタフェースはホーム画面から右方向にスライドした後に入るインタフェースであり、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項１８】
電子デバイスであって、前記電子デバイスがタッチスクリーンを備え、
シナリオモードに基づいて第1のアプリケーションの第1のサービスアイテムを自動的に決定するように構成された決定ユニットであって、前記シナリオモードは、車内モード、運転モード、ミュートモード、機内モード、オフラインモード、屋外モード、または会議モードのうちの少なくとも1つを含む、決定ユニットと、
前記電子デバイスのHiBoardインタフェースに第1のアイコンを表示するように構成された表示ユニットであって、前記HiBoardインタフェースはホーム画面から右方向にスライドした後に入るインタフェースであり、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項１９】
前記電子デバイスの前記HiBoardインタフェースが第1の領域を含み、前記表示ユニットが、
前記電子デバイスの前記HiBoardインタフェースの前記第1の領域に、前記頻繁に使用されるかまたは最近使用された第1のサービスアイテムに対応する前記第1のアイコンを表示し、前記第1の領域は、前記インタフェースの下部、上部、右下隅、または左下隅にある、
ように特に構成される、請求項16から18のいずれか一項に記載の電子デバイス。
【請求項２０】
電子デバイスであって、前記電子デバイスがタッチスクリーンを備え、
前記電子デバイスのサービスアイテム使用記録および／またはサービスアイテム使用頻度に基づいて、第1のアプリケーションの第1のサービスアイテムを自動的に決定するように構成された決定ユニットと、
プリセットジェスチャに応答して第1の表示インタフェースの表示をトリガし、第1のアイコンを前記第1の表示インタフェースに表示するように構成された表示ユニットであって、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項２１】
電子デバイスであって、前記電子デバイスがタッチスクリーンを備え、
カレンダー、時間、または場所のうちの少なくとも1つに基づいて、第1のアプリケーションの第1のサービスアイテムを自動的に決定するように構成された決定ユニットと、
プリセットジェスチャに応答して第1の表示インタフェースの表示をトリガし、第1のアイコンを前記第1の表示インタフェースに表示するように構成された表示ユニットであって、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項２２】
電子デバイスであって、前記電子デバイスがタッチスクリーンを備え、
シナリオモードに基づいて第1のアプリケーションの第1のサービスアイテムを自動的に決定するように構成された決定ユニットであって、前記シナリオモードは、車内モード、運転モード、ミュートモード、機内モード、オフラインモード、屋外モード、または会議モードのうちの少なくとも1つを含む、決定ユニットと、
プリセットジェスチャに応答して第1の表示インタフェースの表示をトリガし、第1のアイコンを前記第1の表示インタフェースに表示するように構成された表示ユニットであって、前記第1のアイコンは前記第1のサービスアイテムに対応する、表示ユニットと、
を備え、
前記表示ユニットは、前記第1のアイコンで実行された操作に応答して前記第1のサービスアイテムの対話インタフェースを表示するようにさらに構成される、
電子デバイス。
【請求項２３】
1つまたは複数のプロセッサおよび1つまたは複数のメモリを備えた電子デバイスであって、
前記1つまたは複数のメモリは前記1つまたは複数のプロセッサに結合され、前記1つまたは複数のメモリは、コンピュータプログラムコードを格納するように構成され、前記コンピュータプログラムコードはコンピュータ命令を含み、前記1つまたは複数のプロセッサが前記コンピュータ命令を実行すると、前記電子デバイスは請求項1から11のいずれか一項に記載のアイコン表示方法を実行する、
電子デバイス。
【請求項２４】
コンピュータ命令を含むコンピュータ記憶媒体であって、前記コンピュータ命令が電子デバイス上で実行されると、前記電子デバイスは請求項1から11のいずれか一項に記載のアイコン表示方法を実行することが可能になる、コンピュータ記憶媒体。
【請求項２５】
コンピュータプログラム製品がコンピュータ上で実行されると、前記コンピュータは、請求項1から11のいずれか一項に記載のアイコン表示方法を実行することが可能になる、コンピュータプログラム製品。
【請求項２６】
グラフィカルユーザインタフェース（graphical user interface，GUI）を表示するための方法であって、前記方法は、タッチスクリーンを備えた電子デバイスに実装され、前記方法は、
前記電子デバイスのサービスアイテム使用記録および／またはサービスアイテム使用頻度に基づいて、第1のアプリケーションの第1のサービスアイテムを自動的に決定するステップに応答して前記タッチスクリーン上に第1のGUIを表示するステップであって、第1のアイコンは前記第1のGUI上に表示され、前記第1のアイコンは前記第1のサービスアイテムに対応する、ステップと、
前記第1のアイコンで実行された操作に応答して前記タッチスクリーン上に第2のGUIを表示するステップであって、前記第1のサービスアイテムの対話インタフェースが前記第2のGUI上に表示される、ステップと
を含む、GUIを表示するための方法。
【請求項２７】
GUIを表示するための方法であって、前記方法は、タッチスクリーンを備えた電子デバイスに実装され、前記方法は、
カレンダー、時間、または場所のうちの少なくとも1つに基づいて第1のアプリケーションの第1のサービスアイテムを自動的に決定するステップに応答して前記タッチスクリーン上に第1のGUIを表示するステップであって、第1のアイコンは前記第1のGUI上に表示され、前記第1のアイコンは前記第1のサービスアイテムに対応する、ステップと、
前記第1のアイコンで実行された操作に応答して前記タッチスクリーン上に第2のGUIを表示するステップであって、前記第1のサービスアイテムの対話インタフェースが前記第2のGUI上に表示される、ステップと
を含む、GUIを表示するための方法。
【請求項２８】
GUIを表示するための方法であって、前記方法は、タッチスクリーンを備えた電子デバイスに実装され、前記方法は、
シナリオモードに基づいて第1のアプリケーションの第1のサービスアイテムを自動的に決定するステップに応答して前記タッチスクリーン上に第1のGUIを表示するステップであって、第1のアイコンは前記第1のGUIに表示され、前記第1のアイコンは前記第1のサービスアイテムに対応し、前記シナリオモードは、車内モード、運転モード、ミュートモード、機内モード、オフラインモード、屋外モード、または会議モードのうちの少なくとも1つを含む、ステップと、
前記第1のアイコンで実行された操作に応答して前記タッチスクリーン上に第2のGUIを表示するステップであって、前記第1のサービスアイテムの対話インタフェースが前記第2のGUI上に表示される、ステップと
を含む、GUIを表示するための方法。
【請求項２９】
前記第1のGUIが、前記電子デバイスのホーム画面、前記電子デバイスのHiBoardインタフェース、またはプリセットジェスチャに応答して表示がトリガされる第1の表示インタフェースである、請求項26から28のいずれか一項に記載の方法。
【請求項３０】
前記第1のGUIが第1の領域を含み、第1のアイコンが前記第1のGUIに表示されることは、
前記頻繁に使用されるかまたは最近使用された第1のサービスアイテムに対応する前記第1のアイコンが前記第1のGUIの前記第1の領域に表示され、前記第1の領域は、前記第1のGUIの下部、上部、右下隅、または左下隅にあること
を含む、請求項26から29のいずれか一項に記載の方法。
【発明の詳細な説明】
【技術分野】
【０００１】
本出願は、2017年10月20日に中国国家知識産権局に提出され、「SERVICE PROVIDING METHOD，TERMINAL，AND SERVER」と題された中国特許出願第201710983444．5号の優先権を主張し、その全体が参照により本明細書に組み込まれる。
【０００２】
本出願の実施形態は、電子技術の分野に関し、特に、アイコン表示方法、デバイス、およびシステムに関する。
【背景技術】
【０００３】
モバイルインターネットの継続的な開発により、モバイルインターネットはますます豊富なサービスを提供でき、増加するアプリケーションが端末にインストールされる。各アプリケーションは、ユーザに複数のサービスと機能を提供できる。端末でアプリケーションが提供する各サービスを使用するには、ユーザは複雑な操作を実行して長時間待つ必要がある。例えば、ユーザは最初にデスクトップ上のアプリケーションアイコンをタップし、アプリケーションが開始するのを待ち、アプリケーションに入った後にメニューを使用してサービスを見つけ、次にサービスを使用する必要がある。アプリケーションの開始時に、起動インタフェースをさらに待つ必要がある場合がある。また、アプリケーションに入った後、使用する必要のあるサービスを見つけるために複数のメニューが必要になる場合がある。
【０００４】
従来技術では、ユーザがサービスを使用するために実行する操作ステップを削減するために、アンドロイド(登録商標)バージョンOのshortcode機能に基づくサービス使用解決策が提供されている。この解決策では、ユーザが端末のデスクトップ上のアプリケーションアイコンを長押しした後、メニューリストがデスクトップにポップアップされ得、ユーザはメニューリストのサービスをデスクトップにドラッグして、ショートカットとして機能するサービスアイコンを形成し、その後、デスクトップ上のサービスアイコンをタップしてサービスを直接使用する。
【０００５】
shortcode機能に基づく既存の解決策では、ユーザは、アプリケーションアイコンを長押ししたり、サービスをデスクトップにドラッグしたりしてサービスアイコンをデスクトップに表示するなどの手動操作を実行する必要があり、その結果、サービスアイコンを使用してサービスが利用され得る。この場合、ユーザエクスペリエンスは比較的低くなる。
【発明の概要】
【課題を解決するための手段】
【０００６】
本出願の実施形態は、電子デバイスの表示インタフェース上にサービスアイコンを自動的に表示するアイコン表示方法、デバイス、およびシステムを提供し、それにより、ユーザはサービスアイコンを使用してサービスアイテムを直接使用し、これにより、ユーザの操作を減らし、ユーザエクスペリエンスを向上させる。
【０００７】
前述の目的を達成するために、本出願の実施形態では以下の技術的解決策が使用される。
【０００８】
一態様によれば、本出願の実施形態は、タッチスクリーンを備えた電子デバイスに適用されるアイコン表示方法を提供し、この方法は、電子デバイスによって、第1のアプリケーションの第1のサービスアイテムを自動的に決定するステップと、電子デバイスの表示インタフェースに第1のアイコンを表示するステップであって、第1のアイコンは第1のサービスアイテムに対応する、ステップと、電子デバイスによって、第1のアイコンで実行された操作に応答して第1のサービスアイテムの対話インタフェースを表示するステップと、を含む。
【０００９】
この解決策では、電子デバイスはサービスアイテムを自動的に決定し、サービスアイテムに対応するサービスアイコンを表示インタフェースに自動的に表示できるため、ユーザは表示インタフェース上のサービスアイコンを使用してサービスアイテムを直接使用することができ、また、ユーザはサービスアイテムに対応するサービスアイコンを手動で設定する必要がないため、サービスを使用するためにユーザが実行する操作ステップを減らし、ユーザの待ち時間を短縮し、ユーザエクスペリエンスを向上させることができる。
【００１０】
可能な設計では、電子デバイスによって、第1のアプリケーションの第1のサービスアイテムを自動的に決定するステップは、電子デバイスによって、電子デバイスのサービスアイテム使用記録および／またはサービスアイテム使用頻度に基づいて第1のアプリケーションの第1のサービスアイテムを自動的に決定するステップを含む。
【００１１】
この解決策では、電子デバイスは、最近使用されたサービスアイテムまたは頻繁に使用されるサービスアイテムに基づいて、第1のアプリケーションの第1のサービスアイテムを自動的に決定することができる。
【００１２】
別の可能な設計では、電子デバイスによって、第1のアプリケーションの第1のサービスアイテムを自動的に決定するステップは、電子デバイスによって、カレンダー、時間、または場所のうちの少なくとも1つに基づいて、第1のアプリケーションの第1のサービスアイテムを自動的に決定するステップを含む。
【００１３】
別の可能な設計では、電子デバイスによって、第1のアプリケーションの第1のサービスアイテムを自動的に決定するステップは、電子デバイスによって、シナリオモードに基づいて第1のアプリケーションの第1のサービスアイテムを自動的に決定するステップを含む。シナリオモードは、車内モード、運転モード、ミュートモード、機内モード、オフラインモード、屋外モード、または会議モードのうちの少なくとも1つを含んでもよい。
【００１４】
別の可能な設計では、電子デバイスによって、第1のアプリケーションの第1のサービスアイテムを自動的に決定するステップは、電子デバイスによって、サーバの指示に基づいて第1のアプリケーションの第1のサービスアイテムを自動的に決定するステップを含む。
【００１５】
この解決策では、電子デバイスは、推奨事項とサーバの指示に基づいて、第1のアプリケーションの第1のサービスアイテムを自動的に決定することができる。
【００１６】
別の可能な設計では、電子デバイスによって、電子デバイスの表示インタフェース上に第1のアイコンを表示するステップは、電子デバイスによって、第1のサービスアイテムの使用頻度または最終使用時間に基づいて電子デバイスの表示インタフェース上に第1のアイコンを表示するステップを含む。
【００１７】
この解決策では、電子デバイスは、表示インタフェース上の事前設定された領域に、頻繁に使用されるかまたは最近使用されたサービスアイテムに対応するアイコンを表示することができる。
【００１８】
別の可能な設計では、電子デバイスの表示インタフェースは、電子デバイスのホーム画面である。
【００１９】
別の態様によれば、本出願の実施形態は、サーバに適用されるサービスアイテム推奨方法を提供し、この方法は、サーバによって、指示情報を生成するステップであって、指示情報は、第1のアプリケーションに第1のサービスアイテムの識別子を含む、ステップと、サーバによって、指示情報を電子デバイスに送信するステップであって、指示情報は、第1のサービスアイテムを決定し、表示インタフェース上に、第1のサービスアイテムに対応するアイコンを表示するように電子デバイスに命令するために使用される、ステップと、を含む。
【００２０】
この解決策では、サーバはサービスアイテムを電子デバイスに推奨することができ、電子デバイスはサーバの推奨事項に基づいて第1のサービスアイテムを自動的に決定することができる。
【００２１】
別の態様によれば、本出願の実施形態は、第1のアプリケーションの第1のサービスアイテムを自動的に決定するように構成された決定ユニットと、電子デバイスの表示インタフェース上に第1のアイコンを表示するように構成された第1の表示ユニットであって、第1のアイコンは第1のサービスアイテムに対応する、第1の表示ユニットと、第1のアイコンで実行された操作に応答して第1のサービスアイテムの対話インタフェースを表示するように構成された第2の表示ユニットと、を備える電子デバイスを提供する。
【００２２】
可能な設計では、決定ユニットは、電子デバイスのサービスアイテム使用記録および／またはサービスアイテム使用頻度に基づいて、第1のアプリケーションの第1のサービスアイテムを自動的に決定するように特に構成される。
【００２３】
可能な設計では、決定ユニットは、カレンダー、時間、または場所のうちの少なくとも1つに基づいて、第1のアプリケーションの第1のサービスアイテムを自動的に決定するように特に構成される。
【００２４】
可能な設計では、決定ユニットは、シナリオモードに基づいて、第1のアプリケーションの第1のサービスアイテムを自動的に決定するように特に構成される。シナリオモードは、車内モード、運転モード、ミュートモード、機内モード、オフラインモード、屋外モード、または会議モードのうちの少なくとも1つを含んでもよい。
【００２５】
可能な設計では、決定ユニットは、サーバの指示に基づいて第1のアプリケーションの第1のサービスアイテムを自動的に決定するように特に構成される。
【００２６】
可能な設計では、第1の表示ユニットは、第1のサービスアイテムの使用頻度または最終使用時間に基づいて、電子デバイスの表示インタフェース上に第1のアイコンを表示するように特に構成される。
【００２７】
可能な設計では、電子デバイスの表示インタフェースは、電子デバイスのホーム画面である。
【００２８】
別の態様によれば、本出願の実施形態は、指示情報を生成するように構成された生成ユニットであって、指示情報は、第1のアプリケーションの第1のサービスアイテムの識別子を含む、生成ユニットと、指示情報を電子デバイスに送信するように構成された送信ユニットであって、指示情報は、第1のサービスアイテムを決定し、表示インタフェース上に第1のサービスアイテムに対応するアイコンを表示するように電子デバイスに命令するために使用される、送信ユニットと、を含むサーバを提供する。
【００２９】
別の態様によれば、本出願の実施形態は、グラフィカルユーザインタフェース（graphical user interface，GUI）を表示するための方法を提供し、この方法は、タッチスクリーンを備えた電子デバイスに実装され、方法は、電子デバイスによって、第1のアプリケーションの第1のサービスアイテムを自動的に決定するステップに応答してタッチスクリーン上に第1のGUIを表示するステップであって、第1のアイコンは第1のGUI上に表示され、第1のアイコンは第1のサービスアイテムに対応する、ステップと、電子デバイスによって、第1のアイコンで実行された操作に応答してタッチスクリーン上に第2のGUIを表示するステップであって、第1のサービスアイテムの対話インタフェースが第2のGUI上に表示される、ステップと、を含む。
【００３０】
この解決策では、電子デバイスはサービスアイテムを自動的に決定し、サービスアイテムに対応するサービスアイコンを第1のGUIに自動的に表示できるため、ユーザは表示インタフェース上のサービスアイコンを使用してサービスアイテムを直接使用することができ、また、ユーザはサービスアイテムに対応するサービスアイコンを手動で設定する必要がないため、サービスを使用するためにユーザが実行する操作ステップを減らし、ユーザの待ち時間を短縮し、ユーザエクスペリエンスを向上させることができる。
【００３１】
可能な実装では、電子デバイスによって、第1のアプリケーションの第1のサービスアイテムを自動的に決定するステップは、電子デバイスによって、電子デバイスのサービスアイテム使用記録および／またはサービスアイテム使用頻度に基づいて第1のアプリケーションの第1のサービスアイテムを自動的に決定するステップを含む。
【００３２】
この解決策では、電子デバイスは、最近使用されたサービスアイテムまたは頻繁に使用されるサービスアイテムに基づいて、第1のアプリケーションの第1のサービスアイテムを自動的に決定することができる。
【００３３】
可能な設計では、電子デバイスによって、第1のアプリケーションの第1のサービスアイテムを自動的に決定するステップは、電子デバイスによって、カレンダー、時間、または場所のうちの少なくとも1つに基づいて、第1のアプリケーションの第1のサービスアイテムを自動的に決定するステップを含む。
【００３４】
可能な設計では、電子デバイスによって、第1のアプリケーションの第1のサービスアイテムを自動的に決定するステップは、電子デバイスによって、シナリオモードに基づいて第1のアプリケーションの第1のサービスアイテムを自動的に決定するステップを含む。シナリオモードは、車内モード、運転モード、ミュートモード、機内モード、オフラインモード、屋外モード、または会議モードのうちの少なくとも1つを含んでもよい。
【００３５】
可能な設計では、電子デバイスによって、第1のアプリケーションの第1のサービスアイテムを自動的に決定するステップは、電子デバイスによって、サーバの指示に基づいて第1のアプリケーションの第1のサービスアイテムを自動的に決定するステップを含む。
【００３６】
この解決策では、電子デバイスは、推奨事項とサーバの指示に基づいて、第1のアプリケーションの第1のサービスアイテムを自動的に決定することができる。
【００３７】
可能な設計では、電子デバイスによって、タッチスクリーン上に第1のGUIを表示するステップであって、第1のアイコンは第1のGUI上に表示され、第1のアイコンは第1のサービスアイテムに対応する、ステップは、電子デバイスによって、第1のサービスアイテムの使用頻度または最終使用時間に基づくタッチスクリーン上に第1のGUIを表示するステップであって、第1のアイコンは第1のGUIに表示され、第1のアイコンは第1のサービスアイテムに対応する、ステップを含む。
【００３８】
この解決策では、電子デバイスは、第1のGUI上の予め設定された場所に、頻繁に使用されるかまたは最近使用されたサービスアイテムに対応するアイコンを表示することができる。
【００３９】
可能な設計では、第1のGUIは電子デバイスのホーム画面である。
【００４０】
別の態様によれば、本出願の実施形態は、タッチスクリーンを備えた電子デバイスに適用されるアイコン表示方法を提供し、この方法は、電子デバイスによって、電子デバイスのサービスアイテム使用記録および／またはサービスアイテム使用頻度に基づいて第1のアプリケーションの第1のサービスアイテムを自動的に決定するステップと、電子デバイスのホーム画面に第1のアイコンを表示するステップであって、第1のアイコンは第1のサービスアイテムに対応する、ステップと、第1のアイコンで実行された操作に応答して第1のサービスアイテムの対話インタフェースを表示するステップと、を含む。
【００４１】
別の態様によれば、本出願の実施形態は、タッチスクリーンを備えた電子デバイスに適用されるアイコン表示方法を提供し、この方法は、電子デバイスによって、カレンダー、時間、または場所のうちの少なくとも1つに基づいて第1のアプリケーションの第1のサービスアイテムを自動的に決定するステップと、電子デバイスのホーム画面に第1のアイコンを表示するステップであって、第1のアイコンは第1のサービスアイテムに対応する、ステップと、第1のアイコンで実行された操作に応答して第1のサービスアイテムの対話インタフェースを表示するステップと、を含む。
【００４２】
別の態様によれば、本出願の実施形態は、タッチスクリーンを備えた電子デバイスに適用されるアイコン表示方法を提供し、この方法は、電子デバイスによって、シナリオモードに基づいて第1のアプリケーションの第1のサービスアイテムを自動的に決定するステップであって、シナリオモードは、車内モード、運転モード、ミュートモード、機内モード、オフラインモード、屋外モード、または会議モードのうちの少なくとも1つを含む、ステップと、電子デバイスのホーム画面に第1のアイコンを表示するステップであって、第1のアイコンは第1のサービスアイテムに対応する、ステップと、第1のアイコンで実行された操作に応答して第1のサービスアイテムの対話インタフェースを表示するステップと、を含む。
【００４３】
別の態様によれば、本出願の実施形態は、タッチスクリーンを備えた電子デバイスに適用されるアイコン表示方法を提供し、この方法は、電子デバイスによって、サーバの指示に基づいて第1のアプリケーションの第1のサービスアイテムを自動的に決定するステップと、電子デバイスのホーム画面に第1のアイコンを表示するステップであって、第1のアイコンは第1のサービスアイテムに対応する、ステップと、電子デバイスによって、第1のアイコンで実行された操作に応答して第1のサービスアイテムの対話インタフェースを表示するステップと、を含む。
【００４４】
可能な設計では、ホーム画面は第1の領域を含み、電子デバイスのホーム画面に第1のアイコンを表示するステップは、ホーム画面の第1の領域に、頻繁に使用されるかまたは最近使用された第1のサービスアイテムに対応する第1のアイコンを表示するステップであって、第1の領域は、ホーム画面の下部、上部、右下隅、または左下隅にある、ステップを含む。
【００４５】
別の態様によれば、本出願の実施形態は、タッチスクリーンを備えた電子デバイスに適用されるアイコン表示方法を提供し、この方法は、電子デバイスによって、電子デバイスのサービスアイテム使用記録および／またはサービスアイテム使用頻度に基づいて第1のアプリケーションの第1のサービスアイテムを自動的に決定するステップと、電子デバイスのHiBoardインタフェースに第1のアイコンを表示するステップであって、HiBoardインタフェースはホーム画面から右方向にスライドした後に入るインタフェースであり、第1のアイコンは第1のサービスアイテムに対応する、ステップと、第1のアイコンで実行された操作に応答して第1のサービスアイテムの対話インタフェースを表示するステップと、を含む。
【００４６】
別の態様によれば、本出願の実施形態は、タッチスクリーンを備えた電子デバイスに適用されるアイコン表示方法を提供し、この方法は、電子デバイスによって、カレンダー、時間、または場所のうちの少なくとも1つに基づいて、第1のアプリケーションの第1のサービスアイテムを自動的に決定するステップと、電子デバイスのHiBoardインタフェースに第1のアイコンを表示するステップであって、HiBoardインタフェースはホーム画面から右方向にスライドした後に入るインタフェースであり、第1のアイコンは第1のサービスアイテムに対応する、ステップと、第1のアイコンで実行された操作に応答して第1のサービスアイテムの対話インタフェースを表示するステップと、を含む。
【００４７】
別の態様によれば、本出願の実施形態は、タッチスクリーンを備えた電子デバイスに適用されるアイコン表示方法を提供し、この方法は、電子デバイスによって、シナリオモードに基づいて第1のアプリケーションの第1のサービスアイテムを自動的に決定するステップであって、シナリオモードは、車内モード、運転モード、ミュートモード、機内モード、オフラインモード、屋外モード、または会議モードのうちの少なくとも1つを含む、ステップと、電子デバイスのHiBoardインタフェースに第1のアイコンを表示するステップであって、HiBoardインタフェースはホーム画面から右方向にスライドした後に入るインタフェースであり、第1のアイコンは第1のサービスアイテムに対応する、ステップと、第1のアイコンで実行された操作に応答して第1のサービスアイテムの対話インタフェースを表示するステップと、を含む。
【００４８】
別の態様によれば、本出願の実施形態は、タッチスクリーンを備えた電子デバイスに適用されるアイコン表示方法を提供し、この方法は、電子デバイスによって、サーバの指示に基づいて第1のアプリケーションの第1のサービスアイテムを自動的に決定するステップと、電子デバイスのHiBoardインタフェースに第1のアイコンを表示するステップであって、HiBoardインタフェースはホーム画面から右方向にスライドした後に入るインタフェースである、ステップと、電子デバイスによって、第1のアイコンで実行された操作に応答して第1のサービスアイテムの対話インタフェースを表示するステップと、を含む。
【００４９】
可能な設計では、電子デバイスのHiBoardインタフェースは第1の領域を含み、電子デバイスのHiBoardインタフェースに第1のアイコンを表示するステップは、電子デバイスのHiBoardインタフェース上の第1の領域に、頻繁に使用されるかまたは最近使用された第1のサービスアイテムに対応する第1のアイコンを表示するステップであって、第1の領域はインタフェースの下部、上部、右下隅、または左下隅にある、ステップを含む。
【００５０】
別の態様によれば、本出願の実施形態は、タッチスクリーンを備えた電子デバイスに適用されるアイコン表示方法を提供し、この方法は、電子デバイスによって、電子デバイスのサービスアイテム使用記録および／またはサービスアイテム使用頻度に基づいて第1のアプリケーションの第1のサービスアイテムを自動的に決定するステップと、プリセットジェスチャに応答して第1の表示インタフェースの表示をトリガし、第1のアイコンを第1の表示インタフェースに表示するステップであって、第1のアイコンは第1のサービスアイテムに対応する、ステップと、第1のアイコンで実行された操作に応答して第1のサービスアイテムの対話インタフェースを表示するステップと、を含む。
【００５１】
別の態様によれば、本出願の実施形態は、タッチスクリーンを備えた電子デバイスに適用されるアイコン表示方法を提供し、この方法は、電子デバイスによって、カレンダー、時間、または場所のうちの少なくとも1つに基づいて第1のアプリケーションの第1のサービスアイテムを自動的に決定するステップと、プリセットジェスチャに応答して第1の表示インタフェースの表示をトリガし、第1のアイコンを第1の表示インタフェースに表示するステップであって、第1のアイコンは第1のサービスアイテムに対応する、ステップと、第1のアイコンで実行された操作に応答して第1のサービスアイテムの対話インタフェースを表示するステップと、を含む。
【００５２】
別の態様によれば、本出願の実施形態は、タッチスクリーンを備えた電子デバイスに適用されるアイコン表示方法を提供し、この方法は、電子デバイスによって、シナリオモードに基づいて第1のアプリケーションの第1のサービスアイテムを自動的に決定するステップであって、シナリオモードは、車内モード、運転モード、ミュートモード、機内モード、オフラインモード、屋外モード、または会議モードのうちの少なくとも1つを含む、ステップと、プリセットジェスチャに応答して第1の表示インタフェースの表示をトリガし、第1のアイコンを第1の表示インタフェースに表示するステップであって、第1のアイコンは第1のサービスアイテムに対応する、ステップと、第1のアイコンで実行された操作に応答して第1のサービスアイテムの対話インタフェースを表示するステップと、を含む。
【００５３】
別の態様によれば、本出願の実施形態は、タッチスクリーンを備えた電子デバイスに適用されるアイコン表示方法を提供し、この方法は、電子デバイスによって、サーバの指示に基づいて第1のアプリケーションの第1のサービスアイテムを自動的に決定するステップと、プリセットジェスチャに応答して第1の表示インタフェースの表示をトリガし、第1のアイコンを第1の表示インタフェースに表示するステップであって、第1のアイコンは第1のサービスアイテムに対応する、ステップと、第1のアイコンで実行された操作に応答して第1のサービスアイテムの対話インタフェースを表示するステップと、を含む。
【００５４】
別の態様によれば、本出願の実施形態は電子デバイスを提供し、電子デバイスはタッチスクリーンを含み、そして、電子デバイスのサービスアイテム使用記録および／またはサービスアイテム使用頻度に基づいて、第1のアプリケーションの第1のサービスアイテムを自動的に決定するように構成された決定ユニットと、電子デバイスのホーム画面に第1のアイコンを表示するように構成された表示ユニットであって、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００５５】
別の態様によれば、本出願の実施形態は電子デバイスを提供し、電子デバイスはタッチスクリーンを含み、そして、カレンダー、時間、または場所のうちの少なくとも1つに基づいて第1のアプリケーションの第1のサービスアイテムを自動的に決定するように構成された決定ユニットと、電子デバイスのホーム画面に第1のアイコンを表示するように構成された表示ユニットであって、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００５６】
別の態様によれば、本出願の実施形態は電子デバイスを提供し、電子デバイスはタッチスクリーンを含み、そして、シナリオモードに基づいて第1のアプリケーションの第1のサービスアイテムを自動的に決定するように構成された決定ユニットであって、シナリオモードは、車内モード、運転モード、ミュートモード、機内モード、オフラインモード、屋外モード、または会議モードのうちの少なくとも1つを含む、決定ユニットと、電子デバイスのホーム画面に第1のアイコンを表示するように構成された表示ユニットであって、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００５７】
可能な設計では、ホーム画面は第1の領域を含み、表示ユニットは、ホーム画面の第1の領域に、頻繁に使用されるかまたは最近使用された第1のサービスアイテムに対応する第1のアイコンを表示するように特に構成され、第1の領域は、ホーム画面の下部、上部、右下隅、または左下隅にある。
【００５８】
別の態様によれば、本出願の実施形態は電子デバイスを提供し、電子デバイスはタッチスクリーンを含み、そして、電子デバイスのサービスアイテム使用記録および／またはサービスアイテム使用頻度に基づいて、第1のアプリケーションの第1のサービスアイテムを自動的に決定するように構成された決定ユニットと、電子デバイスのHiBoardインタフェースに第1のアイコンを表示するように構成された表示ユニットであって、HiBoardインタフェースはホーム画面から右方向にスライドした後に入るインタフェースであり、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００５９】
別の態様によれば、本出願の実施形態は電子デバイスを提供し、電子デバイスはタッチスクリーンを含み、そして、カレンダー、時間、または場所のうちの少なくとも1つに基づいて、第1のアプリケーションの第1のサービスアイテムを自動的に決定するように構成された決定ユニットと、電子デバイスのHiBoardインタフェースに第1のアイコンを表示するように構成された表示ユニットであって、HiBoardインタフェースはホーム画面から右方向にスライドした後に入るインタフェースであり、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００６０】
別の態様によれば、本出願の実施形態は電子デバイスを提供し、電子デバイスはタッチスクリーンを含み、そして、シナリオモードに基づいて第1のアプリケーションの第1のサービスアイテムを自動的に決定するように構成された決定ユニットであって、シナリオモードは、車内モード、運転モード、ミュートモード、機内モード、オフラインモード、屋外モード、または会議モードのうちの少なくとも1つを含む、決定ユニットと、電子デバイスのHiBoardインタフェースに第1のアイコンを表示するように構成された表示ユニットであって、HiBoardインタフェースはホーム画面から右方向にスライドした後に入るインタフェースであり、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００６１】
可能な設計では、電子デバイスのHiBoardインタフェースは第1の領域を含み、表示ユニットは、電子デバイスのHiBoardインタフェースの第1の領域に、頻繁に使用されるかまたは最近使用された第1のサービスアイテムに対応する第1のアイコンを表示するように特に構成され、第1の領域は、インタフェースの下部、上部、右下隅、または左下隅にある。
【００６２】
別の態様によれば、本出願の実施形態は電子デバイスを提供し、電子デバイスはタッチスクリーンを含み、そして、電子デバイスのサービスアイテム使用記録および／またはサービスアイテム使用頻度に基づいて、第1のアプリケーションの第1のサービスアイテムを自動的に決定するように構成された決定ユニットと、プリセットジェスチャに応答して第1の表示インタフェースの表示をトリガし、第1のアイコンを第1の表示インタフェースに表示するように構成された表示ユニットであって、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００６３】
別の態様によれば、本出願の実施形態は電子デバイスを提供し、電子デバイスはタッチスクリーンを含み、そして、カレンダー、時間、または場所のうちの少なくとも1つに基づいて第1のアプリケーションの第1のサービスアイテムを自動的に決定するように構成された決定ユニットと、プリセットジェスチャに応答して第1の表示インタフェースの表示をトリガし、第1のアイコンを第1の表示インタフェースに表示するように構成された表示ユニットであって、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００６４】
別の態様によれば、本出願の実施形態は電子デバイスを提供し、電子デバイスはタッチスクリーンを含み、そして、シナリオモードに基づいて第1のアプリケーションの第1のサービスアイテムを自動的に決定するように構成された決定ユニットであって、シナリオモードは、車内モード、運転モード、ミュートモード、機内モード、オフラインモード、屋外モード、または会議モードのうちの少なくとも1つを含む、決定ユニットと、プリセットジェスチャに応答して第1の表示インタフェースの表示をトリガし、第1のアイコンを第1の表示インタフェースに表示するように構成された表示ユニットであって、第1のアイコンは第1のサービスアイテムに対応する、表示ユニットと、を含み、表示ユニットは、第1のアイコンで実行された操作に応答して第1のサービスアイテムの対話インタフェースを表示するようにさらに構成される。
【００６５】
別の態様によれば、本出願の実施形態は、グラフィカルユーザインタフェースGUIを表示するための方法を提供し、この方法は、タッチスクリーンを備えた電子デバイスに実装され、方法は、電子デバイスによって、電子デバイスのサービスアイテム使用記録および／またはサービスアイテム使用頻度に基づいて、第1のアプリケーションの第1のサービスアイテムを自動的に決定するステップに応答してタッチスクリーン上に第1のGUIを表示するステップであって、第1のアイコンは第1のGUI上に表示され、第1のアイコンは第1のサービスアイテムに対応する、ステップと、第1のアイコンで実行された操作に応答してタッチスクリーン上に第2のGUIを表示するステップであって、第1のサービスアイテムの対話インタフェースが第2のGUI上に表示される、ステップと、を含む。
【００６６】
別の態様によれば、本出願の実施形態は、グラフィカルユーザインタフェースGUIを表示するための方法を提供し、この方法は、タッチスクリーンを備えた電子デバイスに実装され、方法は、電子デバイスによって、カレンダー、時間、または場所のうちの少なくとも1つに基づいて第1のアプリケーションの第1のサービスアイテムを自動的に決定するステップに応答してタッチスクリーン上に第1のGUIを表示するステップであって、第1のアイコンは第1のGUI上に表示され、第1のアイコンは第1のサービスアイテムに対応する、ステップと、第1のアイコンで実行された操作に応答してタッチスクリーン上に第2のGUIを表示するステップであって、第1のサービスアイテムの対話インタフェースが第2のGUI上に表示される、ステップと、を含む。
【００６７】
別の態様によれば、本出願の実施形態は、GUIを表示するための方法を提供し、この方法は、タッチスクリーンを備えた電子デバイスに実装され、この方法は、電子デバイスによって、シナリオモードに基づいて第1のアプリケーションの第1のサービスアイテムを自動的に決定するステップに応答してタッチスクリーン上に第1のGUIを表示するステップであって、第1のアイコンは第1のGUIに表示され、第1のアイコンは第1のサービスアイテムに対応し、シナリオモードは、車内モード、運転モード、ミュートモード、機内モード、オフラインモード、屋外モード、または会議モードのうちの少なくとも1つを含む、ステップと、第1のアイコンで実行された操作に応答してタッチスクリーン上に第2のGUIを表示するステップであって、第1のサービスアイテムの対話インタフェースが第2のGUI上に表示される、ステップと、を含む。
【００６８】
可能な設計では、第1のGUIは、電子デバイスのホーム画面、電子デバイスのHiBoardインタフェース、またはプリセットジェスチャに応答して表示がトリガされる第1の表示インタフェースである。
【００６９】
可能な設計では、第1のGUIは第1の領域を含み、第1のアイコンが第1のGUIに表示されることは、頻繁に使用されるかまたは最近使用された第1のサービスアイテムに対応する第1のアイコンが第1のGUIの第1の領域に表示され、第1の領域は、第1のGUIの下部、上部、右下隅、または左下隅にあることを含む。
【００７０】
別の態様によれば、本出願の実施形態は、1つまたは複数のプロセッサおよび1つまたは複数のメモリを含む電子デバイスを提供し、1つまたは複数のメモリは1つまたは複数のプロセッサに結合され、1つまたは複数のメモリは、コンピュータプログラムコードを格納するように構成され、コンピュータプログラムコードはコンピュータ命令を含み、1つまたは複数のプロセッサがコンピュータ命令を実行すると、電子デバイスはアイコン表示方法または前述の態様のいずれか1つの可能な設計でグラフィカルユーザインタフェースGUIを表示するための方法を実行する。
【００７１】
別の態様によれば、本出願の実施形態は、コンピュータ命令を含むコンピュータ記憶媒体を提供し、コンピュータ命令が電子デバイス上で実行されると、電子デバイスは、アイコン表示方法または前述の態様のいずれか1つの可能な設計でグラフィカルユーザインタフェースGUIを表示するための方法を実行することが可能になる。
【００７２】
別の態様によれば、本出願の実施形態は、コンピュータプログラム製品を提供し、コンピュータプログラム製品がコンピュータ上で実行されると、コンピュータは、アイコン表示方法または前述の態様の任意のいずれか1つの任意の可能な設計でグラフィカルユーザインタフェースGUIを表示するための方法を実行することが可能になる。
【図面の簡単な説明】
【００７３】
【図１（ａ）】本出願の一実施形態によるサービスアイテムを使用するプロセスの概略図である。
【図１（ｂ）】本出願の一実施形態によるサービスアイテムを使用するプロセスの概略図である。
【図１（ｃ）】本出願の一実施形態によるサービスアイテムを使用するプロセスの概略図である。
【図１（ｄ）】本出願の一実施形態によるサービスアイテムを使用するプロセスの概略図である。
【図１（ｅ）】本出願の一実施形態によるサービスアイテムを使用するプロセスの概略図である。
【図２（ａ）】本出願の一実施形態によるサービスアイテムを使用するプロセスの別の概略図である。
【図２（ｂ）】本出願の一実施形態によるサービスアイテムを使用するプロセスの別の概略図である。
【図２（ｃ）】本出願の一実施形態によるサービスアイテムを使用するプロセスの別の概略図である。
【図２（ｄ）】本出願の一実施形態によるサービスアイテムを使用するプロセスの別の概略図である。
【図２（ｅ）】本出願の一実施形態によるサービスアイテムを使用するプロセスの別の概略図である。
【図３】本出願の一実施形態による携帯電話の概略構造図である。
【図４】本出願の一実施形態によるアイコン表示方法のフローチャートである。
【図５ａ】本出願の一実施形態による表示インタフェースの概略図である。
【図５ｂ】本出願の一実施形態による表示インタフェースの別の概略図である。
【図６】本出願の一実施形態による表示インタフェースの別の概略図である。
【図７】本出願の一実施形態による表示インタフェースの別の概略図である。
【図８】本出願の一実施形態による表示インタフェースの別の概略図である。
【図９】本出願の一実施形態による表示インタフェースの別の概略図である。
【図１０】本出願の一実施形態による表示インタフェースの別の概略図である。
【図１１ａ】本出願の一実施形態による表示インタフェースの別の概略図である。
【図１１ｂ】本出願の一実施形態による表示インタフェースの別の概略図である。
【図１２】本出願の一実施形態による優先表示領域の概略図である。
【図１３ａ】本出願の一実施形態による優先表示領域を設定するステップの概略図である。
【図１３ｂ】本出願の一実施形態による優先表示領域を設定するステップの別の概略図である。
【図１３ｃ】本出願の一実施形態による優先表示領域を設定するステップの別の概略図である。
【図１３ｄ】本出願の一実施形態による優先表示領域を設定するステップの別の概略図である。
【図１４】本出願の一実施形態による優先表示領域の概略図である。
【図１５】本出願の一実施形態による優先表示領域の別の概略図である。
【図１６】本出願の一実施形態によるGUIを表示するための方法のフローチャートである。
【図１７】本発明の一実施形態による電子デバイスの概略構造図である。
【図１８】本出願の一実施形態によるサーバの概略構造図である。
【図１９】本出願の一実施形態によるサーバの概略構造図である。
【図２０】本出願の一実施形態によるシステムのネットワークアーキテクチャの概略図である。
【発明を実施するための形態】
【００７４】
本出願の実施形態におけるサービスとは、電子デバイスがサポートするアプリケーションにおいて提供されるさまざまな機能などを指す。例えば、サービスは、Alipayのスキャン、ペイ、コレクト、振込、Didi Chuxing、バイクシェアリング、Huabei、またはトランザクションである。例えば、サービスは、WeChatのモーメント、スキャン、シェイク、ユーティリティ、またはモバイルトップアップである。別の例として、サービスは、Taobaoのメンバシップコード、ショッピングカート、Tmallスーパーマーケット、またはWeitaoである。
【００７５】
「WeChatスキャン」サービスが例として使用される。従来の方法で毎回WeChatスキャンを使用する概略的なフローチャートについては、図1（a）、図1（b）、図1（c）、図1（d）、および図1（e）を参照されたい。図1（a）において、ユーザは、デスクトップ上のWeChatアプリケーションアイコンをタップして、図1（b）に示される起動インタフェースを起動する。図1（c）に示すアプリケーションインタフェースは、起動インタフェースの後に表示される。図1（c）の「ディスカバー」をタップして、図1（d）に示すインタフェースに入る。図1（d）に示すインタフェース上で「スキャン」をタップしてスキャンサービス機能を有効にし、図1（e）に示すスキャンサービスページに入る。デスクトップとは、電子デバイスの電源がオンになった後の表示画面の表示領域を指す。
【００７６】
従来技術のshortcodeベースの解決策では、デスクトップ上にWeChatスキャンのサービスアイコンを設定するために、ユーザは図2（a）、図2（b）、図2（c）、図2（d）、および図2（e）に示す操作を実行する必要がある。具体的には、図2（a）を参照すると、ユーザは、WeChatアプリケーションアイコンを長押しすることができる。図2（b）を参照すると、ユーザの長押し操作に応答して、電子デバイスのデスクトップにメニューリストがポップアップ表示される。図2（c）を参照すると、ユーザは、メニューリストの「スキャン」をデスクトップにドラッグして、図2（d）に示すスキャンのサービスアイコンをデスクトップ上に形成することができる。スキャンのサービスアイコンがデスクトップ上に形成された後、ユーザは図2（d）のスキャンのサービスアイコンをタップして図2（e）に示されるWeChatスキャンサービスページを起動し、次にWeChatスキャンサービスを使用する。
【００７７】
図2（a）、図2（b）、図2（c）、図2（d）、図2（e）と図1（a）、図1（b）、図1（c）、図1（d）、図1（e）との比較から、shortcodeベースの解決策では、サービスアイコンがデスクトップ上に生成された後、サービスを使用するためにユーザが実行する操作ステップを削減できることがわかる。ただし、サービスアイコンの生成時には、ユーザは依然として、アプリケーションアイコンを長押ししたり、サービスアイコンをドラッグしたりするなどの操作を行って、手動でサービスアイコンを設定する必要がある。その結果、ユーザは比較的長い時間待機し、ユーザエクスペリエンスは比較的低くなる。
【００７８】
本出願の実施形態で提供されるアイコン表示方法では、電子デバイスの表示インタフェースにサービスアイコンを自動的に表示することができるため、ユーザはデスクトップ上のサービスアイコンを利用してサービスを直接使用することができ、ユーザはサービスアイコンを手動で設定する必要はない。したがって、サービスを使用するためにユーザが実行する操作ステップを削減することができ、ユーザの待ち時間を短縮することができ、ユーザエクスペリエンスを向上させることができる。
【００７９】
本出願の実施形態における技術的解決策を、本出願の実施形態における添付の図面を参照して以下に説明する。本出願の実施形態における説明では、特に断りのない限り、「／」は「または」を意味する。例えばA／BはAまたはBを表すことができる。本明細書において、「および／または」は、関連オブジェクトを記述するための関連関係のみを記述し、3つの関係が存在し得ることを表す。例えば、Aおよび／またはBは、Aのみが存在する場合、AとBの両方が存在する場合、Bのみが存在する場合、の3つの場合を表すことができる。また、本出願の実施形態の説明において、「複数」とは2つ以上を意味する。
【００８０】
本出願の実施形態で提供されるアイコン表示方法は、アイコンを表示することができる携帯電話、タブレットコンピュータ、ウェアラブルデバイス、車載デバイス、拡張現実（augmented reality，AR）／仮想現実（virtual reality，VR）デバイス、ノートブックコンピュータ、ウルトラモバイルパーソナルコンピュータ（ultra−mobile personal computer，UMPC）、ネットブック、またはパーソナルデジタルアシスタント（personal digital assistant，PDA）などの任意の電子デバイスに適用され得る。これは、本出願の実施形態において限定されない。
【００８１】
一例では、本出願の実施形態における電子デバイスは携帯電話であり、携帯電話の一般的なハードウェアアーキテクチャが説明される。図3に示すように、携帯電話200は、通信モジュール220、メモリ230、センサモジュール240、入力デバイス250、ディスプレイ260、オーディオモジュール280、プロセッサ210、カメラモジュール291、電力管理モジュール295などを含み得る。これらのコンポーネントは、バスを使用して接続されてもよく、直接接続されてもよい。当業者は、図3に示される携帯電話の構造が携帯電話に対する制限を構成しないこと、および携帯電話が図3に示されるものより多いコンポーネントを含むか、またはいくつかのコンポーネントの組み合わせを含むか、または別のコンポーネントの配置を有するかもしれないことを理解し得る。
【００８２】
通信モジュール220は、別のネットワークエンティティと通信するように、例えば、サーバから情報を受信するか、または関連するデータをサーバに送信するように構成される。通信モジュール220は、無線周波数（radio frequency，RF）モジュール229、セルラモジュール221、ワイヤレスフィデリティ（wireless fidelity，WIFI）モジュール223、GPSモジュール227などを含み得る。RFモジュール229は、情報受信／送信プロセスまたはコールプロセスにおいて信号を受信および送信するように構成され得る。特に、RFモジュール229は、受信した情報を処理のためにプロセッサ210に送信し、プロセッサ210によって生成された信号を送信する。RF回路21は通常、アンテナ、少なくとも1つの増幅器、トランシーバ、カプラ、低雑音増幅器（low noise amplifier，LNA）、およびデュプレクサを含み得るが、これらに限定されない。また、RF回路21は、無線通信を介してネットワークや他のデバイスとさらに通信し得る。セルラモジュール221およびWi−Fiモジュール223は、ネットワークに接続するように構成され得る。GPSモジュールは、測位またはナビゲーションを実行するように構成され得る。
【００８３】
プロセッサ210は、携帯電話200の制御センタであり、各種インタフェースや回線を用いて携帯電話全体のすべての部分に接続され、メモリ230に格納されたソフトウェアプログラムおよび／またはモジュールを実行して、メモリ230に格納されたデータを呼び出すことによって、携帯電話200の各種機能を実行してデータ処理を行い、携帯電話200の全体的な監視を実行する。一実施形態における特定の実装では、プロセッサ210は、1つまたは複数の処理ユニットを含んでもよく、アプリケーションプロセッサおよびモデムプロセッサは、プロセッサ210に統合されてもよい。アプリケーションプロセッサは、主にオペレーティングシステム、グラフィカルユーザインタフェース、アプリケーションなどを処理する。モデムプロセッサは主に無線通信を処理する。モデムプロセッサは代替的にプロセッサ210に統合されなくてもよいことを理解されたい。
【００８４】
メモリ230は、データ、ソフトウェアプログラム、およびモジュールを格納するように構成され得、揮発性メモリ（volatile memory）、例えば、ランダムアクセスメモリ（random−access memory，RAM）であってもよく、不揮発性メモリ（non−volatile memory）、例えば、読み取り専用メモリ（read−only memory，ROM）、フラッシュメモリ（flash memory）、ハードディスクドライブ（hard disk drive，HDD）、またはソリッドステートドライブ（solid−state drive，SSD）であってもよく、または前述のタイプのメモリの組み合わせであってもよい。具体的には、メモリ230は、プログラムコードを格納することができる。プログラムコードは、プロセッサ210がプログラムコードを実行することにより、本出願の実施形態で提供されるアイコン表示方法を実行できるようにするために使用される。メモリ230は、内部メモリ232および外部メモリ234を含み得る。
【００８５】
センサモジュール240は、ジェスチャセンサ240A、ジャイロスコープセンサ240B、圧力センサ240C、磁気センサ240D、および加速度センサ240Eを含み得、携帯電話の各方向（通常、3軸）の加速度の値を検出するように構成され得、静的な状態で値と重力の方向を検出し得、携帯電話の姿勢（横向きモードと縦向きモードの画面切り替え、関連するゲーム、または磁力計の姿勢較正など）、振動識別に関連する機能（歩数計やノックなど）などを識別するためのアプリケーションで使用され得る。なお、携帯電話200は、グリップセンサ、近接センサ、RGBセンサ、生体認証センサ、温度／湿度センサ、照度センサ、UVセンサなどの他のセンサをさらに含んでいてもよい。詳細はここでは説明しない。
【００８６】
入力デバイス250は、携帯電話200の入力および出力機能を実装するために、タッチパネル252、ペンセンサ254、ボタン256、超音波入力デバイス258、入力感知モジュール259などを含み得る。
【００８７】
ディスプレイ260は、表示パネル262、ホログラフィックデバイス264、およびプロジェクタ266などのデバイスを含み得る。表示パネル262は、携帯電話上にグラフィカルユーザインタフェース（graphical user interface，GUI）を表示するように構成され得る。グラフィカルユーザインタフェースは、さまざまなアプリケーションのサービスまたは機能のさまざまなアプリケーション（app）アイコン（icon）または対話インタフェース（Activityページ）を含む。
【００８８】
各アプリケーションは複数のショートカットに対応し得、各ショートカットはアプリケーションの1つのサブメニューまたはサブサービスアイテムに対応し得る。複数のショートカットのアイコンがディスプレイ260に表示され得る。携帯電話は、ショートカットのアイコンをユーザがタップする操作に応答して、ショートカットに対応するActivityページを表示し得る（入ることができる）。オペレーティングシステムは、ショートカットを構成する2つの方法、つまり静的な方法と動的な方法をサポートし得る。静的な方法では、xmlファイルを使用してショートカットが構成され、名前、アイコン、関数、分類、またはショートカットの可用性などのパラメータが最初に構成され、その後AndroidManiFest．xmlを開いて、開始されたActivityを構成する。動的な方法で、ショートカットが動的に更新され得る。例えば、携帯電話の場合、setDynamicShortcuts（）インタフェースを使用してショートカットが追加されてもよく、removeDynamicShortcuts（List）またはremoveAllDynamicShortcuts（）インタフェースを使用してショートカットが削除されてもよく、updateShortcuts（List）インタフェースを使用してショートカットが更新されてもよく、静的な方法で構成されたショートカットがさらに変更されてもよい。
【００８９】
カメラモジュール291は、写真を撮る、ビデオを記録する、二次元コード／バーコードをスキャンするなどのために、画像を収集するように構成される。
【００９０】
オーディオモジュール280は、ラウドスピーカ282、レシーバ284、ヘッドセット286、マイクロフォン288などを含み得る。ユーザがオーディオ信号を収集または再生する。
【００９１】
電力管理モジュール295は、バッテリ296を含むことができ、電力管理システムを使用することによって充電管理、放電管理、および電力消費管理などの機能を実装するために、電力管理システムを使用することによってプロセッサ210に論理的に接続される。
【００９２】
また、携帯電話200は、加入者識別モジュール、インジケータ、およびモータなどの機能モジュールをさらに含んでもよい。ここでは、機能モジュールについては説明しない。
【００９３】
本出願の実施形態で提供されるアイコン表示方法を、特定の実施形態を使用して以下に詳細に説明する。図4を参照すると、方法は以下のステップを含むことができる。
【００９４】
401．電子デバイスは、第1のアプリケーションの第1のサービスアイテムを自動的に決定する。
【００９５】
第1のアプリケーションは、電子デバイスにインストールされた任意のアプリケーションとすることができ、第1のサービスアイテムは、任意のアプリケーションのサブメニューまたはサブサービスアイテムとすることができる。つまり、電子デバイスは、任意のアプリケーションの任意のサービスアイテムを自動的に決定することができる。電子デバイスによって自動的に決定される第1のサービスアイテムは、通常、現在ユーザによって使用されている可能性が高いサービスアイテムである。
【００９６】
例えば、Alipayは第1のアプリケーションであり、第1のサービスアイテムは、アプリケーションAlipayのスキャン、ポケット、Didi Chuxing、ペイ、ユーティリティ、および／またはバイクシェアリングなどのサブメニューまたはサブサービスアイテムであってもよい。例えば、WeChatは第1のアプリケーションであり、第1のサービスアイテムは、アプリケーションWeChatのモーメント、スキャン、マイポスト、お気に入り、ウォレット、および／またはウォレットのモバイルトップアップなどの、サブメニューまたはサブサービスアイテムであってもよい。
【００９７】
402．電子デバイスは、電子デバイスの表示インタフェースに第1のアイコンを表示し、第1のアイコンは第1のサービスアイテムに対応する。
【００９８】
第1のアイコンは、第1のサービスアイテムのショートカットのアイコンである。本出願のこの実施形態では、サービスアイテムのショートカットのアイコンは、サービスアイコンとも呼ばれる。第1のアプリケーションの第1のサービスアイテムを決定した後、電子デバイスは、表示インタフェース上に、第1のサービスアイテムに対応する第1のアイコンを自動的に表示することができる。例えば、電子デバイスによって自動的に決定された第1のサービスアイテムがWeChatモーメント、WeChatスキャン、Taobaoショッピングカート、および／またはAlipayペイである場合、図5aに示す破線のボックス内のアイコンを参照すると、電子デバイスは、第1のサービスアイテムのアイコン、例えば、WeChatモーメントのサービスアイコン、WeChatスキャンのサービスアイコン、Taobaoショッピングカートのサービスアイコン、および／またはAlipayペイのサービスアイコンなどを表示インタフェースに自動的に表示することができる。
【００９９】
図5aに示される表示インタフェースは、破線ボックス内のサービスアイコンと、破線ボックス外のアプリケーションアイコンとを含むことに留意されたい。表示インタフェース上のサービスアイコンとアプリケーションアイコンは、異なる形式で表示される場合がある。例えば、サービスアイコンは円形のアイコンであり、アプリケーションアイコンは長方形のアイコンである；または、サービスアイコンの右上隅に識別子Sが設定されており、アプリケーションアイコンに識別子Sが設定されていない。図6を参照すると、第1のインタフェースは、サービスアイコンのみを含み、アプリケーションアイコンを含まない場合があることが理解され得る。つまり、サービスアイコンのみが第1のインタフェースに表示される。第1のインタフェースは、プリセットされたインタフェースであり得る。
【０１００】
また、本出願のこの実施形態では、第1のアイコンに対応する第1のサービスアイテムが来るアプリケーションを示すために、アプリケーション識別子が第1のアイコン上にさらに表示され得る。例えば、第1のサービスアイテムはモーメントである。この場合、モーメントのサービスアイテムがWeChatからのものであることを示すために、WeChatのアイコンがモーメントのサービスアイコンの右下隅に表示され得る。
【０１０１】
また、電子デバイスが自動的に決定したサービスアイテムに対応するアイコンに加えて、アンドロイド(登録商標)バージョンOのshortcode機能に基づいてユーザが設定したサービスアイコンが電子デバイスの表示インタフェース上にさらに表示され得ることにさらに留意されたい。
【０１０２】
403．電子デバイスは、第1のアイコンで実行された操作に応答して第1のサービスアイテムの対話インタフェースを表示する。
【０１０３】
第1のアイコンは、第1のサービスアイテムの対話インタフェースに対応し、第1のサービスアイテムの対話インタフェースは、第1のサービスアイテムに関連する機能をユーザに提供するために使用される。対話インタフェースは、第1のサービスアイテムに対応するactivityページであり、activityページは、ユーザとオペレーティングシステム内のプログラムとの間の対話のためのインタフェースである。あるいは、対話インタフェースは、第1のサービスアイテムのユニフォームリソースロケータ（uniform resource locator，URL）に対応するページである。
【０１０４】
ユーザが表示インタフェース上の第1のアイコンに対して操作を実行すると、電子デバイスは、ユーザが第1のアイコンに対して実行した操作に応答して第1のサービスアイテムの対話インタフェースを表示し、ユーザに第1のサービスアイテムに関連する機能を提供する。具体的には、第1のアイコンに対してユーザが実行した操作に応答して、電子デバイスは、第1のサービスアイテムに対応するactivityページ、つまり、第1のサービスアイテムのURLに対応するページを表示することができる。
【０１０５】
具体的には、第1のアイコンに対して行われる操作、例えば、タップ操作、ダブルタップ操作、長押しジェスチャ操作、または音声制御操作に応答して、電子デバイスは、intent（）機能を使用して、第1のアイコンに対応する第1のサービスアイテムの対話インタフェースを呼び出すことができ、その結果、第1のサービスアイテムは第1のアイコンを使用して直接使用される。
【０１０６】
例えば、第1のアイコンが図5aのWeChatスキャンサービスアイテムに対応するサービスアイコンである場合、図5bを参照して、スキャンのサービスアイコンに対してユーザが行ったタップ操作に応答して、電子デバイスはスキャンサービスアイテムの対話インタフェースを表示して、ユーザに二次元コードまたはバーコードスキャンサービスを提供する。図1（a）、図1（b）、図1（c）、図1（d）、図1（e）、図2（a）、図2（b）、図2（c）、図2（d）、または図2（e）に示される従来技術の解決策と比較して、本出願のこの実施形態の図5aおよび図5bで提供される解決策では、電子デバイスはサービスアイテムを自動的に決定して、サービスアイテムに対応するサービスアイコンを自動的に表示でき、これにより、ユーザはサービスアイコンを使用してサービスアイテムを素早く直接使用できる。
【０１０７】
本出願のこの実施形態では、電子デバイスは、第1のサービスアイテムを継続的に決定し、第1のサービスアイテムに対応するサービスアイコンを表示して、表示インタフェースに表示されるサービスアイコンを継続的に更新し、その結果、表示インタフェース上に現在表示されているサービスアイコンは、電子デバイスの現在のステータスと一致し、それにより、現在使用される可能性が高いサービスアイテムのサービスアイコンをユーザに動的に提供する。
【０１０８】
本出願のこの実施形態で提供されるアイコン表示方法では、電子デバイスはサービスアイテムを自動的に決定し、サービスアイテムに対応するサービスアイコンを表示インタフェースに自動的に表示できるため、ユーザは表示インタフェース上のサービスアイコンを使用してサービスアイテムを直接使用することができ、また、ユーザはサービスアイテムに対応するサービスアイコンを手動で設定する必要がないため、サービスを使用するためにユーザが実行する操作ステップを減らし、ユーザの待ち時間を短縮し、ユーザエクスペリエンスを向上させることができることがわかる。
【０１０９】
ステップ401において、電子デバイスが第1のアプリケーションの第1のサービスアイテムを自動的に決定することは、電子デバイスが、電子デバイスのサービスアイテム使用記録および／またはサービスアイテム使用頻度に基づいて第1のアプリケーションの第1のサービスアイテムを自動的に決定することを含み得る。
【０１１０】
ユーザが最近使用したサービスアイテムは、通常、ユーザが最近使用する可能性が高いサービスアイテムである。したがって、可能な実装では、電子デバイスは、各サービスアイテムの使用時間を記録し、最近の期間（例えば、最終日または過去3日間）に使用されたN（正の整数）個のサービスアイテムを決定し、そして、表示インタフェースに、N個のサービスアイテムに対応するサービスアイコンを表示することができる。
【０１１１】
ユーザが頻繁に使用するサービスアイテムは、現在、ユーザが使用する可能性が高い。したがって、可能な実装では、電子デバイスは、各サービスアイテムの使用回数を記録し、使用回数が最大のN個のサービスアイテムを決定し、N個のサービスアイテムに対応するサービスアイコンを表示インタフェースに表示することができる。あるいは、電子デバイスは、各サービスアイテムの使用回数を記録し、各サービスアイテムの使用頻度（例えば、各サービスアイテムが毎日使用される回数）と、使用頻度が最も高いN個のサービスアイテムを決定し、表示画面に、N個のサービスアイテムに対応するサービスアイコンを表示することができる。
【０１１２】
別の可能な実装では、電子デバイスは、最近の期間における各サービスアイテムの使用回数を記録し、最近の期間（例えば、過去10日間または先月）での使用回数が最大のN個のサービスアイテムを決定し、N個のサービスアイテムに対応するサービスアイコンを表示インタフェースに表示することができる。
【０１１３】
例えば、過去15日以内に電子デバイスが最も多く使用したN（top N）個のサービスアイテムが表1に示されている場合、電子デバイスは、表1のサービスアイテムに対応するサービスアイコンを表示インタフェースに表示できる。
【０１１４】
【表１】
2020537794.tif 000003
【０１１５】
あるいは、ステップ401において、電子デバイスが第1のアプリケーションの第1のサービスアイテムを自動的に決定することは、電子デバイスがカレンダー（または日付）、時間、または場所のうちの少なくとも1つに基づいて第1のアプリケーションの第1のサービスアイテムを自動的に決定することを含み得る。
【０１１６】
例えば、11月11日のダブルイレブンオンラインショッピングフェスティバルの前夜に、電子デバイスはオンラインショッピングに関連するTaobaoショッピングカートやAlipayスキャンなどのサービスアイテムを決定し、対応するサービスアイコンを表示インタフェースに表示し、これによりユーザが商品のラッシュに迅速に参加できるようにする。別の例として、春節や大晦日のような休日に、電子デバイスは、WeChatレッドパケットサービスやWeChat振込などのサービスアイテムを決定し、対応するサービスアイコンを表示インタフェースに表示する場合がある。大晦日の8：00から12：00の時間帯に、電子デバイスがAlipayレッドパケットサービスアイテムを決定し得、これによりユーザが大晦日の夜のレッドパケットグラブアクティビティに参加できるようにする。
【０１１７】
例えば、ユーザ、家族、もしくは友人の誕生日、またはカレンダーに記録された記念日に基づいて、ユーザ、家族、もしくは友人の誕生日、または記念日が来ると、電子デバイスは、ケーキ予約サービスアイテムおよびアラームクロックリマインダサービスアイテムを決定し、決定されたサービスアイテムに対応するアイコンを電子デバイスの表示インタフェースに表示することができる。
【０１１８】
例えば、就業日の11：30から14：00までのランチタイム中に、電子デバイスはBaiduマップでサービスアイテム「Discover Food」を決定し、Discover Foodのサービスアイコンを表示インタフェースに表示し、これにより、ユーザはランチタイム中に「Discover Food」のサービスアイコンに基づいて昼食の場所を迅速に見つけることができる。あるいは、電子デバイスは、ユーザが持ち帰りを注文するのを助けるために、Meituanなどのアプリケーションで配達サービスアイテムを決定することができる。
【０１１９】
例えば、ショッピングモールやスーパーマーケットなどの消費者の場所では、電子デバイスがWeChat支払いコード、WeChatメンバシップカード、Alipayスキャンなどを決定し、対応するサービスアイコンを表示インタフェースに表示し得るので、ユーザは素早くチェックアウトできる。駐車場の近くでは、電子デバイスはBaiduマップでサービスアイテム「駐車場」を決定し、対応するサービスアイコンを表示インタフェースに表示し得るので、ユーザは駐車場を素早く見つけて駐車できる。
【０１２０】
例えば、家庭では、電子デバイスは、娯楽およびレジャーに関連するいくつかのサービスアイテム、例えば、ビデオ再生サービスアイテムおよびミニゲームサービスアイテムを決定することができる。
【０１２１】
例えば、就業日の朝7：00から9：00に、自宅から会社への途中で、電子デバイスは、「Baiduマップのワークサービス」を決定することができ、これにより、ユーザは道路状況、渋滞状況などをリアルタイムで確認できる。
【０１２２】
あるいは、ステップ401において、電子デバイスが第1のアプリケーションの第1のサービスアイテムを自動的に決定することは、電子デバイスがシナリオモードに基づいて第1のアプリケーションの第1のサービスアイテムを自動的に決定することを含み得る。電子デバイスのシナリオモードは、車内モード、運転モード、ミュートモード、機内モード、オフラインモード、屋外モード、会議モードなどを含み得る。
【０１２３】
例えば、電子デバイスが車内モードまたは運転モードにあるとき、電子デバイスはサービスアイテム「音声アシスタント」を決定し、対応するサービスアイコンを表示し得るので、車内シナリオでは、ユーザは電子デバイスを音声で操作して、通話の発信や応答、メッセージの送信などを行うことができる。
【０１２４】
例えば、電子デバイスが17：00から20：00までの非番時間中に車内モードにある場合、電子デバイスは「Baiduマップのホームサービスアイテム」を決定し、対応するサービスアイコンを表示するので、ユーザは、帰宅途中の道路状況や渋滞状況などをリアルタイムで確認できる。
【０１２５】
例えば、電子デバイスが機内モードの場合、電子デバイスはネットワークにアクセスしたり、別のデバイスと通信したりできず、したがって、電子デバイスは、音楽プレーヤのローカルミュージックライブラリや読書ソフトウェアのローカルブックなどのサービスアイテムを決定し得る。
【０１２６】
シナリオモードは、ユーザにより設定または選択されたモードであってもよい。例えば、ユーザは電子デバイスをミュートモードに設定する。あるいは、シナリオモードは、電子デバイスの現在のステータスパラメータに基づいて電子デバイスによって決定されるモードであってもよい。ステータスパラメータは、カレンダー、時間、場所、電子デバイスの現在のネットワークステータス、電子デバイスによって現在使用されているサービスアイテム、現在使用されているサービスアイテムに基づいて電子デバイスによって取得されたパラメータなどのうちの1つまたは複数を含んでもよい。例えば、電子デバイスがブルートゥース(登録商標)を使用して車内通話に接続されている場合、電子デバイスの現在のシナリオモードが運転モードであると決定され得る。あるいは、電子デバイスがBaiduマップのワークサービスアイテムを使用しており、サービスアイテムの測位機能に基づいて、電子デバイスが比較的高速で移動していると判断された場合、電子デバイスの現在のシナリオモードは運転モードであると決定され得る。
【０１２７】
あるいは、電子デバイスは、現在使用されているサービスアイテムおよび／または現在使用されているサービスアイテムに基づいて決定されたパラメータに基づいて、第1のサービスアイテムを自動的に決定してもよい。
【０１２８】
例えば、就業日に、GPSサービスに基づいて、電子デバイスが比較的高速で移動していると判断され、電子デバイスが車内ブルートゥース(登録商標)を可能にする場合、ユーザが運転していると判断され得、電子デバイスは、Baiduマップでホームサービスアイテムを自動的に決定することができる。
【０１２９】
あるいは、電子デバイスは、各サービスアイテムと、カレンダー、時間、場所、シナリオモード、およびサービスアイテムの使用時に取得される別のパラメータのうちの1つまたは複数との間の対応関係を保存し、履歴に保存された対応関係に基づいて第1のサービスアイテムを自動的に決定してもよい。
【０１３０】
例えば、電子デバイスが表2に示されている複数のレコードを保存する場合、電子デバイスは、就業日の朝7：00から8：00の時間帯に音声アシスタントサービスアイテムとBaiduマップのホームサービスアイテムを決定し、対応するサービスアイコンを表示インタフェースに表示することができる。
【０１３１】
【表２】
2020537794.tif 000004
【０１３２】
特定のシナリオにおいてユーザによって頻繁に使用されるサービスアイテムは、ユーザの使用プリファレンスと呼ばれてもよい。ユーザポートレートは、異なるシナリオとユーザの使用プリファレンスとの間の対応関係に基づいて形成されてもよい。
【０１３３】
あるいは、電子デバイスは、現在のネットワークステータスに基づいて、第1のサービスアイテムを自動的に決定することができる。
【０１３４】
例えば、電子デバイスが現在WIFIネットワークにアクセスしており、ネットワークステータスが比較的良好である場合、電子デバイスは、ビデオ関連のサービスアイテムを決定することができる。電子デバイスがデータトラフィックを使用してネットワークにアクセスするか、WIFIを使用してネットワークにアクセスし、ネットワークステータスが比較的悪い場合、電子デバイスはビデオ関連ではないサービスアイテムを決定することができる。
【０１３５】
あるいは、ステップ401において、電子デバイスは、サーバの指示に基づいて、第1のアプリケーションの第1のサービスアイテムを自動的に決定することができる。
【０１３６】
具体的には、サーバは、指示情報を生成し、指示情報を電子デバイスに送信して、電子デバイスに第1のサービスアイテムを決定し、表示インタフェース上に第1のサービスアイテムに対応するアイコンを表示するように命令することができる。指示情報は、第1のアプリケーションの第1のサービスアイテムの識別子を含み得る。識別子は、パッケージ名（package name）とサービス名（service name）の組み合わせでもよいし、識別子はサービスアイテムに対応するURLでもよい。識別子の形式は、本出願のこの実施形態では特に限定されない。
【０１３７】
サーバが指示情報を電子デバイスに送信する前に、サーバは、電子デバイスによって第1のサービスアイテムを決定する方法と同様の方法で第1のサービスアイテムを決定し、次に、決定された第1のサービスアイテムに基づいて、第1のサービスアイテムの識別子を含む指示情報を生成することもできる。
【０１３８】
例えば、サーバは、カレンダー、時間、または場所のうちの少なくとも1つに基づいて第1のサービスアイテムを決定することができる。
【０１３９】
また、電子デバイスによって第1のサービスアイテムを決定することとの違いは、サーバが電子デバイスに関連する行動情報を報告し、次に電子デバイスの関連する行動情報に基づいて第1のサービスアイテムを決定することを要求し得ることである。
【０１４０】
例えば、サーバは、電子デバイスによって報告されたサービスアイテム使用記録および／またはサービスアイテム使用頻度を受信し、次に、電子デバイスのサービスアイテム使用記録および／またはサービスアイテム使用頻度に基づいて第1のサービスアイテムを決定することができる。
【０１４１】
例えば、サーバは、電子デバイスによって報告されたシナリオモードを受信し、次に、電子デバイスのシナリオモードに基づいて第1のサービスアイテムを決定することができる。
【０１４２】
別の例では、サーバは、現在使用されているサービスアイテムおよび／または電子デバイスによって報告された現在使用されているサービスアイテムに基づいて決定されたパラメータを受信し、次に、電子デバイスによって現在使用されているサービスアイテムおよび／または現在使用されているサービスアイテムに基づいて決定されたパラメータに基づいて第1のサービスアイテムを決定することができる。
【０１４３】
別の例では、サーバは、サービスアイテムと、カレンダー、時間、場所、シナリオモード、およびサービスアイテムの使用時に取得されかつ電子デバイスによって報告される別のパラメータのうちの1つまたは複数と間の対応関係を受信し、次に、その対応関係に基づいて第1のサービスアイテムを決定することができる。
【０１４４】
別の例では、サーバは、電子デバイスによって報告された現在のネットワークステータスを受信し、電子デバイスの現在のネットワークステータスに基づいて第1のサービスアイテムを自動的に決定することができる。
【０１４５】
また、サーバは、電子デバイスによって報告され、shortcode機能に基づいて電子デバイスの表示インタフェース上でユーザによって設定されたサービスアイテムのものであるサービスアイコンを受信し、次に、ユーザが最近設定したサービスアイテム、またはshortcode機能に基づいて設定された最近使用されたサービスアイテムに基づいて第1のサービスアイテムを決定することができる。
【０１４６】
また、サーバは、複数の他の電子デバイスによって報告されたサービスアイテム使用記録および／またはサービスアイテム使用頻度を受信し、次に、ビッグデータで、複数の電子デバイスによって最近使用されたか最も頻繁に使用されているサービスアイテムに基づいて第1のサービスアイテムを決定することができる。例えば、サーバによって収集され、複数（例えば、数千または数万）の電子デバイスによって最近（例えば、先週または先月）最も頻繁に使用されたN個のサービスの識別子が、ローカル天気、ホットニュース、WeChatスキャンなどのサービスの識別子を含む場合、サーバはローカル天気、ホットニュース、WeChatスキャンなどのサービスアイテムの識別子を電子デバイスに示すことができる。
【０１４７】
あるいは、電子デバイスは、第1のサービスアイテムを決定する複数の方法の組み合わせを使用することによって、第1のアプリケーションの第1のサービスアイテムを柔軟に決定する。
【０１４８】
本出願のいくつかの実施形態では、ステップ402の表示インタフェースは、電子デバイスのホーム画面とすることができ、homeページ、ホーム画面などと呼ばれることもある。ホーム画面は通常、電子デバイスの電源がオンになると自動的に表示される、つまり、ユーザは電子デバイスの電源がオンになった直後にホーム画面を見ることができる。また、ホーム画面は、homeボタンが押された後、電子デバイスによってデフォルトで表示される。したがって、ホーム画面を直接、便利かつ迅速に見つけることができる。表示インタフェースが電子デバイスのホーム画面である場合、電子デバイスは、サービスアイテムに対応するサービスアイコンをホーム画面に自動的に表示することができる。ホーム画面を便利かつ迅速に見つけることができるため、ホーム画面上のサービスアイコンもユーザが便利かつ迅速に見つけることができる。したがって、ユーザがサービスアイコンを検索して見つける時間が短縮され、サービスが迅速かつ直接利用され、ユーザエクスペリエンスが向上する。例えば、表示インタフェースがホーム画面である場合、表示インタフェースは、図5aに示されるインタフェースであってもよい。
【０１４９】
他のいくつかの実施形態では、ステップ402の表示インタフェースは、電子デバイスのデスクトップ上の別のインタフェースであってもよい。例えば、表示インタフェースは、電子デバイスのホーム画面から右方向にスライドした後に入るインタフェースであってもよく、「HiBoard」または「HiBoardメニュー」と呼ばれることもある。例えば、ホーム画面が図1（a）に示すインタフェース700である場合、表示インタフェース701については、図7を参照されたい。あるいは、表示インタフェースは、電子デバイスのホーム画面から左方向にスライドした後に表示されるインタフェースであってもよい。例えば、ホーム画面が図1（a）に示されるインタフェース700である場合、表示インタフェース702については、図8を参照されたい。本出願のこの実施形態では、表示インタフェースの特定のインタフェースは限定されない。表示インタフェースが、電子デバイスのホーム画面から左方向にスライドした後に表示されるインタフェース、または電子デバイスのホーム画面から右方向にスライドした後に表示されるインタフェースである場合、ホーム画面を便利かつ迅速に見つけることができるため、ホーム画面から左方向にスライドした後に表示されるインタフェースや、ホーム画面から右方向にスライドした後に表示されるインタフェースも迅速に見つけることができる。これにより、表示インタフェース上のサービスアイコンをユーザが迅速に見つけることができるため、ユーザがサービスアイコンを探す時間を短縮でき、サービスを便利かつ迅速に利用でき、ユーザエクスペリエンスを向上させることができる。
【０１５０】
HiBoardメニューは、ユーザがデスクトップ（またはホーム画面）から右方向にスライドした後に入るインタフェースを指す場合がある。インタフェースには、ユーザが共通して使用する機能、アプリケーション、加入しているサービス、情報などが表示され得る。HiBoardメニューは、デスクトップアシスタント、ショートカットメニューなどとも呼ばれる。
【０１５１】
他のいくつかの実施形態では、電子デバイスが現在任意のページを表示しているとき、ステップ402の表示インタフェースは、ユーザのプリセットジェスチャ操作に応答して電子デバイスによって表示がトリガされる第1の表示インタフェースであってもよい。第1の表示インタフェースは、第1のサービスアイテムに対応する第1のアイコンを表示するために使用される。
【０１５２】
例えば、電子デバイスが図9の第1の画像に示されるホーム画面を表示するとき、第1の表示インタフェースは、図9に示され、電子デバイスの画面の上部にあるプリセットジェスチャ（例えば、プルダウンジェスチャまたは下向きのスライドジェスチャ）に応答して表示画面の上部に表示される第1の表示インタフェース703であってもよい。あるいは、第1の表示インタフェースは、図10に示され、電子デバイスの画面の下部にあるユーザのプリセットジェスチャ（例えば、プルアップジェスチャまたは上向きのスライドジェスチャ）に応答して表示画面の下部に電子デバイスによって表示される第1の表示インタフェース704であってもよい。あるいは、図11aおよび図11bを参照すると、第1の表示インタフェースは、ユーザのプリセットジェスチャ（例えば、画面上でユーザが円を描くジェスチャまたは3本の指のスライドジェスチャ）に応答して表示画面の中央部分に電子デバイスによって表示される第1の表示インタフェース1100であってもよい。
【０１５３】
図9、図10、図11a、または図11bに示すケースでは、ユーザは、インタフェースが表示されているときに、サービスアイコンが表示されている表示インタフェースを、プリセットジェスチャを用いて素早く起動することができ、したがって、サービスアイコンを使用して、サービスアイテムの対話インタフェースに便利かつ迅速にアクセスすることができる。
【０１５４】
ステップ401の第1のサービスアイテムを自動的に決定するさまざまな方法と、ステップ402の表示インタフェースのさまざまな形式が別々に組み合わされてもよい。
【０１５５】
例えば、いくつかの実施形態では、電子デバイスは、電子デバイスのサービスアイテム使用記録および／またはサービスアイテム使用頻度に基づいて、第1のアプリケーションの第1のサービスアイテムを自動的に決定し、電子デバイスのホーム画面に第1のアイコンを表示する。第1のアイコンは第1のサービスアイテムに対応している。
【０１５６】
他のいくつかの実施形態では、電子デバイスは、カレンダー、時間、または場所のうちの少なくとも1つに基づいて第1のアプリケーションの第1のサービスアイテムを自動的に決定し、電子デバイスのホーム画面に第1のアイコンを表示する。第1のアイコンは第1のサービスアイテムに対応している。
【０１５７】
他のいくつかの実施形態では、電子デバイスは、シナリオモードに基づいて第1のアプリケーションの第1のサービスアイテムを自動的に決定し、電子デバイスのホーム画面に第1のアイコンを表示する。第1のアイコンは第1のサービスアイテムに対応している。
【０１５８】
他のいくつかの実施形態では、電子デバイスは、サーバの指示に基づいて第1のアプリケーションの第1のサービスアイテムを自動的に決定し、第1のアイコンを電子デバイスのホーム画面に表示する。第1のアイコンは第1のサービスアイテムに対応している。
【０１５９】
他のいくつかの実施形態では、電子デバイスは、電子デバイスのサービスアイテム使用記録および／またはサービスアイテム使用頻度に基づいて、第1のアプリケーションの第1のサービスアイテムを自動的に決定し、電子デバイスのHiBoardインタフェースに第1のアイコンを表示する。第1のアイコンは第1のサービスアイテムに対応している。
【０１６０】
他のいくつかの実施形態では、電子デバイスは、カレンダー、時間、または場所のうちの少なくとも1つに基づいて第1のアプリケーションの第1のサービスアイテムを自動的に決定し、電子デバイスのHiBoardインタフェースに第1のアイコンを表示する。第1のアイコンは第1のサービスアイテムに対応している。
【０１６１】
他のいくつかの実施形態では、電子デバイスは、シナリオモードに基づいて第1のアプリケーションの第1のサービスアイテムを自動的に決定し、電子デバイスのHiBoardインタフェースに第1のアイコンを表示する。第1のアイコンは第1のサービスアイテムに対応している。
【０１６２】
他のいくつかの実施形態では、電子デバイスは、サーバの指示に基づいて第1のアプリケーションの第1のサービスアイテムを自動的に決定し、電子デバイスのHiBoardインタフェース上に第1のアイコンを表示する。第1のアイコンは第1のサービスアイテムに対応している。
【０１６３】
他のいくつかの実施形態では、電子デバイスは、電子デバイスのサービスアイテム使用記録および／またはサービスアイテム使用頻度に基づいて第1のアプリケーションの第1のサービスアイテムを自動的に決定し、プリセットジェスチャに応答して第1の表示インタフェースの表示をトリガし、第1の表示インタフェースに第1のアイコンを表示する。第1のアイコンは第1のサービスアイテムに対応している。
【０１６４】
他のいくつかの実施形態では、電子デバイスは、カレンダー、時間、または場所のうちの少なくとも1つに基づいて第1のアプリケーションの第1のサービスアイテムを自動的に決定し、プリセットジェスチャに応答して第1の表示インタフェースの表示をトリガし、第1の表示インタフェースに第1のアイコンを表示する。第1のアイコンは第1のサービスアイテムに対応している。
【０１６５】
他のいくつかの実施形態では、電子デバイスは、シナリオモードに基づいて第1のアプリケーションの第1のサービスアイテムを自動的に決定し、プリセットジェスチャに応答して第1の表示インタフェースの表示をトリガし、第1のアイコンを第1の表示インタフェースに表示する。第1のアイコンは第1のサービスアイテムに対応している。
【０１６６】
他のいくつかの実施形態では、電子デバイスは、サーバの指示に基づいて第1のアプリケーションの第1のサービスアイテムを自動的に決定し、プリセットジェスチャに応答して第1の表示インタフェースの表示をトリガし、第1のアイコンを第1の表示インタフェースに表示する。第1のアイコンは第1のサービスアイテムに対応している。
【０１６７】
ステップ403において、電子デバイスが表示インタフェースに第1のアイコンを表示することは、電子デバイスが第1のサービスアイテムの使用頻度または最終使用時間に基づいて電子デバイスの表示インタフェースに第1のアイコンを表示することを含み得る。表示インタフェースは、電子デバイスのホーム画面、電子デバイスのHiBoardインタフェース、プリセットジェスチャに応答して表示がトリガされる第1の表示インタフェース、電子デバイスのホーム画面から左方向にスライドした後に表示されるインタフェースなどであってもよい。
【０１６８】
具体的には、電子デバイスは、異なるサービスアイテムの使用頻度または最終使用時間に基づいて、表示インタフェース上の異なる場所に異なるサービスアイテムを表示することができる。表示インタフェースは、第1の領域および第2の領域を含み得る。第1の領域は、優先表示領域と呼ばれることがある。電子デバイスは、使用頻度の高いサービスアイテムや、優先表示領域で、最終使用時間が現時点に近いサービスアイテム（つまり、最近使用したサービスアイテム）を設定してもよい。優先表示領域は、ユーザが素早く見つけられる領域である。例えば、優先表示領域は、特に目立つ領域であってもよいし、ユーザが直感的に視認できる領域であってもよい。例えば、図12を参照すると、優先表示領域は、表示インタフェースの下部にあり、アイコンの最後の行を表示するために使用される領域1201、表示インタフェースの上部にあり、アイコンの最初の行を表示するために使用される領域1202、または、表示インタフェース上にあり、アイコンの中央の行を表示するために使用される領域であってもよい。あるいは、優先表示領域は、具体的には、表示インタフェース上にあり、ユーザがタッチしやすい領域であってもよい。例えば、優先表示領域は、表示インタフェースの右下隅にあり、右手の親指が触れるのが容易な領域1203（右手を使用することに慣れているユーザに適している）、または、表示インタフェースの左下隅にあり、左手の親指が触れるのが容易な領域1204（左手を使用することに慣れているユーザに適している）であってもよい。
【０１６９】
例えば、過去15日間のサービスアイテムの使用回数が表1に示されている。この場合、サービスアイテムの使用回数が多いほど、サービスアイテムの使用頻度が高くなり、ユーザがサービスアイテムを再利用する可能性が高くなる。優先表示領域が領域1203である場合、電子デバイスは、表示インタフェース上の優先表示領域に、使用頻度が最も高いサービスアイテムのサービスアイコン、つまり、「WeChatモーメント、ホットニュース、Alipayスキャン、およびBaiduマップでのワーク」を表示し、表示インタフェースの別の領域に、電子デバイスによって決定された別のサービスアイテムのサービスアイコン、例えば、表1のサービスアイコン「音声アシスタント、Taobaoショッピングカート、…、銀行振込、Alipayユーティリティ」を表示することができる。
【０１７０】
例えば、8月8日の11：00であり、サービスアイテムと最終利用時刻との間の対応関係が表3に示されている場合、ユーザが「銀行振込、WeChatモーメント、ホットニュース、および音声アシスタント」などのサービスアイテムを最近再利用している可能性が高い。優先表示領域が領域1201である場合、電子デバイスは、表示インタフェースの優先表示領域に、最近使用されたサービスアイテム、つまり、「銀行振込、WeChatモーメント、ホットニュース、および音声アシスタント」のサービスアイコンを表示し、表示インタフェースの別の領域に、電子デバイスによって決定された別のサービスアイテムのサービスアイコン、例えば、表3の「Baiduマップでのワーク、Alipayスキャン、…、およびAlipayユーティリティ」のサービスアイコンを表示することができる。
【０１７１】
【表３】
2020537794.tif 000005
【０１７２】
あるいは、ステップ403において、電子デバイスが表示インタフェースに第1のアイコンを表示することは、電子デバイスが第1のサービスアイテムの優先度に基づいて電子デバイスの表示インタフェースに第1のアイコンを表示することを含み得る。
【０１７３】
具体的には、電子デバイスは、表示インタフェースの優先表示領域に比較的優先度の高いサービスアイテムのサービスアイコンを表示し、表示インタフェースの別の領域に比較的優先度の低いサービスアイテムのサービスアイコンを表示することができる。優先度の高いサービスアイテムは、通常、ユーザが使用する可能性が高いサービスアイテムである。
【０１７４】
このように、電子デバイスは、表示インタフェースの優先表示領域に優先度の高いサービスアイテムを優先して表示することができるため、使用される可能性が高いサービスアイテムのサービスアイコンがより正確にユーザに提供される。したがって、ユーザは、表示インタフェースの優先表示領域において、優先度の高いサービスアイテムに対応するサービスアイコンを便利かつ迅速に見つけることができ、そして優先度の高いサービスアイテムを便利かつ迅速に使用することができる。
【０１７５】
shortcode機能に基づく既存の解決策では、デスクトップに比較的大量のサービスアイコンが設定されている場合、ユーザは、デスクトップでページごと、行ごと、およびアイコンごとに使用対象のサービスアイコンを検索するために大量の時間を費やす必要がある。その結果、ユーザエクスペリエンスは低くなる。
【０１７６】
可能な実装では、使用頻度の高いサービスアイテムは、使用頻度の低いサービスアイテムよりも優先度が高くなる；または、最終使用時間が現時点により近いサービスアイテムは、最終使用時間が現時点に近いサービスアイテムよりも優先される。この実装は、電子デバイスが高い使用頻度でサービスアイテムを設定する、または最終使用時間が優先表示領域の現時点により近いサービスアイテムを設定する、記載されたケースと一致している。詳細はここでは再度説明しない。
【０１７７】
別の可能な実装では、第1のサービスアイテムの優先度は、第1のサービスアイテムを決定する方法によって変化する。具体的には、サービスアイテムを決定する方法の優先度が高いほど、サービスアイテムの優先度が高い。
【０１７８】
例えば、電子デバイス自体によって決定されたサービスアイテムは、サーバの指示に基づいて電子デバイスによって決定されたサービスアイテムよりも優先度が高い。例えば、表4を参照すると、優先表示領域が図12の領域1201である場合、電子デバイスは、領域1201に、電子デバイスによって決定されたサービスアイテムのサービスアイコン、つまり、モーメント、WeChatスキャン、音声アシスタント、およびBaiduマップでのワークを表示し、領域1201の外側の領域に、サーバの指示に基づいて電子デバイスによって決定されたサービスアイテムのサービスアイコン、つまり、TaobaoショッピングカートやAlipayペイを表示することができる。
【０１７９】
【表４】
2020537794.tif 000006
【０１８０】
別の例では、電子デバイス／サーバは、以下の方法でサービスアイテムを決定することができる：方法1では、電子デバイス／サーバは、電子デバイスのサービスアイテム使用記録および／またはサービスアイテム使用頻度に基づいてサービスアイテムを決定する。方法2では、電子デバイス／サーバは、カレンダー、時間、または場所のうちの少なくとも1つに基づいてサービスアイテムを決定する。方法3では、電子デバイス／サーバは、シナリオモードに基づいてサービスアイテムを決定する。方法4では、電子デバイス／サーバは、現在使用されているサービスアイテムおよび／または現在使用されているサービスアイテムに基づいて決定されたパラメータに基づいてサービスアイテムを決定する。方法5では、電子デバイス／サーバは、サービスアイテムと、カレンダー、時間、場所、シナリオモード、およびサービスアイテムの使用時に取得される別のパラメータのうちの1つまたは複数との間の保存された対応関係に基づいて、サービスアイテムを決定する。方法6では、電子デバイス／サーバは、現在のネットワークステータスに基づいてサービスアイテムを決定することができる。また、サーバは次の方法でサービスアイテムを決定することができる：方法7では、サーバはユーザが最近設定したサービスアイテムまたはshortcodeに基づいて設定された最近使用したサービスアイテムに基づいて、第1のサービスアイテムを決定する。方法8では、サーバは、ビッグデータで、複数の電子デバイスによって最近使用されたか最も頻繁に使用されている収集されたサービスアイテムに基づいてサービスアイテムを決定する。実際の状況に応じて、異なる決定手法の優先度が設定され得る。また、電子デバイスにサービスアイテムを示すとき、サーバは、サービスアイテムに対応する決定方法をさらに示すか、またはサービスアイテムに対応する決定方法の優先度をさらに示すため、電子デバイスは、サービスアイテムの決定方法に対応する優先度に基づいてサービスアイテムを表示することができる。
【０１８１】
電子デバイス自体によってサービスアイテムを決定する方法しかない（サーバの指示に基づいて電子デバイスによってサービスアイテムを決定する方法は含まれない）場合、可能な実装では、決定方法の優先度の降順は、方法1から方法6の順である。つまり、方法1で決定されたサービスアイテムは、方法2で決定されたサービスアイテムよりも優先度が高く、方法2で決定されたサービスアイテムは、方法3で決定されたサービスアイテムよりも優先度が高く、以下同様である。
【０１８２】
電子デバイス自体によってサービスアイテムを決定する方法しかない（サーバの指示に基づいて電子デバイスによってサービスアイテムを決定する方法は含まれない）場合、可能な実装では、方法1は他の方法よりも優先度が高い。つまり、方法1で決定されたサービスアイテムは、他の方法で決定されたサービスアイテムよりも優先度が高い。
【０１８３】
例えば、サービスアイテムと決定方法との間の対応関係が表5に示され、優先表示領域が図12の領域1201である場合、電子デバイスは、領域1201に方法1で決定されたサービスアイテムのサービスアイコン、つまり、WeChatモーメント、WeChatスキャン、音声アシスタント、Baiduマップでのワークを表示し、領域1201の外側の領域に、他の方法で決定されたサービスアイテムのサービスアイコン、つまり、TaobaoショッピングカートやAlipayペイを表示することができる。
【０１８４】
【表５】
2020537794.tif 000007
【０１８５】
電子デバイス自体によってサービスアイテムを決定する方法しかない（サーバの指示に基づいて電子デバイスによってサービスアイテムを決定する方法は含まれない）場合、方法1、方法4、および方法6が具体的に含まれ、可能な実装では、表6を参照すると、決定方法の優先度の降順は、方法6、方法4、方法1の順になる。
【０１８６】
【表６】
2020537794.tif 000008
【０１８７】
サーバの指示に基づいて電子デバイスによってサービスアイテムを決定する方法しかない場合、可能な実装では、決定方法の優先度の降順は、方法1から方法8の順である。つまり、方法1で決定されたサービスアイテムは、方法2で決定されたサービスアイテムよりも優先度が高く、方法2で決定されたサービスアイテムは、方法3で決定されたサービスアイテムよりも優先度が高く、以下同様である。
【０１８８】
電子デバイス自体によってサービスアイテムを決定する方法と、サーバの指示に基づいて電子デバイスによってサービスアイテムを決定する方法がある場合、可能な実装では、電子デバイス自体によって決定されたサービスアイテムは、サーバの指示に基づいて電子デバイスによって決定されたサービスアイテムよりも優先度が高い。電子デバイス自体によってサービスアイテムを決定する方法に対応する特定の決定方法の優先順位は、方法1から方法6の順であり、サーバの指示に基づいて電子デバイスによってサービスアイテムを決定する方法に対応する特定の決定方法の優先順位は、方法1から方法8の順である。
【０１８９】
電子デバイス自体によってサービスアイテムを決定する方法と、サーバの指示に基づいて電子デバイスによってサービスアイテムを決定する方法がある場合、別の可能な実装では、電子デバイス自体によってサービスアイテムを決定する方法、またはサーバの指示に基づいて電子デバイスによってサービスアイテムを決定する方法に関係なく、特定の決定方法に対応する優先順位は、方法1から方法8の順である。
【０１９０】
なお、前述の決定方法の優先順位は、説明のための単なる例であり、実際の要件に応じて他の優先順位が存在してもよい。本出願のこの実施形態では、他の優先順位は1つずつ説明されない。
【０１９１】
本出願のこの実施形態では、電子デバイスは、サービスアイテムの優先度に基づいて、優先表示領域に優先度が最も高いサービスアイテムを優先的に表示することができる。優先表示領域を満たすのに最も高い優先度のサービスアイテムが不十分である場合、電子デバイスは、優先表示領域に2番目に高い優先度のサービスアイテムをさらに表示することができ、以下同様である。
【０１９２】
優先表示領域は、予め設定された領域であってもよいし、ユーザの癖やプリファレンスに基づいてユーザにより設定または変更された領域であってもよい。例えば、図13aを参照すると、ユーザは、サービスアイコン表示領域を設定することを選択する。あるいは、図13bを参照すると、電子デバイスは、デスクトップ上で、優先表示領域を設定するように指示するために使用されるユーザのプリセットジェスチャ（例えば、2本の指のスライド）を検出する。図13cまたは図13dを参照すると、ユーザは優先表示領域の位置および範囲を設定し、ユーザが優先表示領域を設定した後、電子デバイスは優先表示領域を保存し、ユーザが決定ボタンを選択したときに優先表示領域の設定を完了することができる。図13cに示すように、右手を使用することに慣れているユーザの場合、ユーザは、右下隅にあり右手の親指がタッチしやすい領域を優先表示領域として設定してもよい。図13dに示すように、左手を使用することに慣れているユーザの場合、ユーザは、左下隅にあり左手の親指がタッチしやすい領域を優先表示領域として設定してもよい。
【０１９３】
さらに、本出願のこの実施形態で提供される方法では、2つのサービスアイテム優先度がある場合、各優先度は1つの優先表示領域に対応し得、各優先表示領域は、現在の優先度に対応するサービスアイテムのサービスアイコンを表示するために使用される。
【０１９４】
例えば、3つの優先度がある場合、表示インタフェースは、3つの部分、すなわち、第1の優先表示領域、第2の優先表示領域、および別の領域を含んでもよい。第1の優先表示領域は、前述の優先表示領域であってもよく、第2の優先表示領域は、予め設定された領域であってもよいし、ユーザにより設定された領域であってもよい。例えば、第1の優先表示領域が領域1201である場合、第2の優先表示領域は、図14に示す領域1401であってもよい；あるいは、第1の優先表示領域が領域1202である場合、第2の優先表示領域は、図15に示す領域1501であってもよい。
【０１９５】
本出願の別の実施形態は、グラフィカルユーザインタフェースGUIを表示するための方法を提供する。この方法は、タッチスクリーンを備えた電子デバイスに実装されている。図16を参照すると、方法は以下のステップを含むことができる。
【０１９６】
1601．電子デバイスは、第1のアプリケーションの第1のサービスアイテムを自動的に決定するステップに応答して、タッチスクリーン上に第1のGUIを表示し、第1のアイコンが第1のGUTに表示され、第1のアイコンは第1のサービスアイテムに対応している。
【０１９７】
例えば、第1のGUIは、図5aに示すホーム画面、図6もしくは図7から図10の第2の画像に示すインタフェース、または図11aもしくは図11bの第2の画像に示すインタフェースであってもよい。
【０１９８】
1602．電子デバイスは、第1のアイコンで実行された操作に応答してタッチスクリーン上に第2のGUIを表示し、第1のサービスアイテムの対話インタフェースが第2のGUI上に表示される。
【０１９９】
例えば、第1のアイコンが図5aに示されるWeChatスキャンサービスアイテムに対応するサービスアイコンである場合、第2のGUIは図5bに示され得る。
【０２００】
具体的には、電子デバイスは、上述の方法で、第1のアプリケーションの第1のサービスアイテムを自動的に決定することができる。例えば、電子デバイスは、電子デバイスのサービスアイテム使用記録および／またはサービスアイテム使用頻度に基づいて、第1のアプリケーションの第1のサービスアイテムを自動的に決定することができる。あるいは、電子デバイスは、カレンダー、時間、または場所のうちの少なくとも1つに基づいて、第1のアプリケーションの第1のサービスアイテムを自動的に決定することができる。あるいは、電子デバイスは、シナリオモードに基づいて、第1のアプリケーションの第1のサービスアイテムを自動的に決定することができる。あるいは、電子デバイスは、サーバの指示に基づいて、第1のアプリケーションの第1のサービスアイテムを自動的に決定することができる。
【０２０１】
第1のGUIは、電子デバイスのホーム画面、電子デバイスのHiBoardインタフェース、プリセットジェスチャに応答して表示がトリガされる第1の表示インタフェース、電子デバイスのホーム画面から左方向にスライドした後に表示されるインタフェースなどであってもよい。
【０２０２】
また、第1のGUIは、第1の領域をさらに含むことができる。第1の領域は、優先表示領域と呼ばれることがあり、第1のGUIの第1の領域には、優先度が高い第1のサービスアイテムに対応する第1のアイコンが表示される。サービスアイテムの優先度については、前述の関連説明を参照されたい。例えば、頻繁に使用されるかまたは最近使用されたサービスアイテムには高い優先度がある。
【０２０３】
いくつかの実施形態では、頻繁に使用されるかまたは最近使用された第1のサービスアイテムに対応する第1のアイコンが、第1のGUIの第1の領域に表示される。第1の領域は、第1のGUIの下部、上部、右下隅、または左下隅にある。
【０２０４】
前述の機能を実装するために、電子デバイスまたはサーバなどの各ネットワーク要素は、機能を実行するための対応するハードウェア構造および／またはソフトウェアモジュールを含むことが理解され得る。当業者は、本明細書に開示された実施形態に記載された例と組み合わせて、アルゴリズムステップがハードウェアまたはハードウェアとコンピュータソフトウェアの組み合わせによって実装され得ることを容易に認識するはずである。機能がハードウェアによって実行されるか、コンピュータソフトウェアによって駆動されるハードウェアによって実行されるかは、特定のアプリケーションおよび技術的解決策の設計上の制約に依存する。当業者は、特定の各アプリケーションのために説明した機能を実装するために異なる方法を使用することができるが、実装が本出願の範囲外であると考えられるべきではない。
【０２０５】
本出願の実施形態では、電子デバイスまたはサーバは、前述の方法の例に基づいて機能モジュールに分割され得る。例えば、各機能モジュールは、対応する機能に基づいて分割することによって得られてもよく、または2つ以上の機能が1つの処理モジュールに統合されてもよい。統合モジュールは、ハードウェアの形態で実装されてもよく、またはソフトウェア機能モジュールの形態で実装されてもよい。本出願の実施形態において、モジュール分割は一例であり、単なる論理機能分割であることに留意されたい。実際の実装では、別の分割方法が使用され得る。
【０２０６】
各機能モジュールが、対応する機能に基づいて分割によって得られる場合、図11は、上記の実施形態における電子デバイスの構成の可能な概略図である。図17に示されるように、電子デバイス1700は、決定ユニット1701および表示ユニット1702を含み得る。
【０２０７】
決定ユニット1701は、図4に示されるアイコン表示方法のステップ401を実行する際に電子デバイス1700をサポートするように構成され得る。可能な実装では、表示ユニット1702は、第1の表示ユニットおよび第2の表示ユニットを含む。第1の表示ユニットは、図4に示すアイコン表示方法のステップ402を実行する際に電子デバイス1700をサポートするように構成され得、第2の表示ユニットは、図4に示すアイコン表示方法のステップ403を実行する際に電子デバイス1700をサポートするように構成され得る。別の可能な実装では、第1の表示ユニットおよび第2の表示ユニットは同じ表示ユニットであり、表示ユニットは、第1の表示ユニットおよび第2の表示ユニットの機能を実行する際に電子デバイスをサポートし得る。
【０２０８】
具体的には、決定ユニット1701は、電子デバイスのサービスアイテム使用記録および／またはサービスアイテム使用頻度、カレンダー、時間、もしくは場所のうちの少なくとも1つ、シナリオモード、またはサーバの指示に基づいて、第1のアプリケーションの第1のサービスアイテムを自動的に決定する、および／または本明細書に記載の技術の別のプロセスを実行する際に、電子デバイス1700をサポートするように構成され得る。
【０２０９】
表示ユニット1702は、電子デバイスのホーム画面に第1のアイコンを表示する、電子デバイスのHiBoardインタフェースに第1のアイコンを表示する、電子デバイスのホーム画面から左方向にスライドした後に表示されるインタフェースに第1のアイコンを表示する、またはプリセットジェスチャに応答して表示がトリガされる第1の表示インタフェースに第1のアイコンを表示する際に、電子デバイス1700をサポートするように構成され得る。
【０２１０】
また、表示ユニット1702は、電子デバイスのホーム画面上の第1の領域に、電子デバイスのHiBoardインタフェース上の第1の領域に、電子デバイスのホーム画面から左方向にスライドした後に表示されるインタフェース上の第1の領域に、またはプリセットジェスチャに応答して表示がトリガされる第1の表示インタフェース上の第1の領域に、頻繁に使用されるかまたは最近使用された第1のサービスアイテムに対応する第1のアイコンを表示する、および／または本明細書に記載の技術の別のプロセスを実行する際に、電子デバイス1700をサポートするようにさらに構成され得る。第1の領域は、インタフェースの下部、上部、右下隅、または左下隅に配置され得る。
【０２１１】
前述の方法の実施形態におけるステップのすべての関連する内容は、対応する機能モジュールの機能の説明で引用できることに留意されたい。詳細はここでは再度説明しない。
【０２１２】
本出願のこの実施形態で提供される電子デバイスは、前述のアイコン表示方法およびGUIを表示するための方法を実行するように構成される。したがって、アイコン表示方法やGUIを表示するための方法と同様の効果を得ることができる。
【０２１３】
統合されたユニットの場合、決定ユニット1701は、処理モジュールに統合されてもよく、第1の表示ユニットおよび第2の表示ユニットは、表示モジュールとして使用される。また、電子デバイスは、記憶モジュールおよび通信モジュールをさらに含み得る。
【０２１４】
処理モジュールは、電子デバイスの動作を制御および管理するように構成される。例えば、処理モジュールは、図4のステップ401を実行する、および／または本明細書に記載の技術の別のプロセスを実行する際に、電子デバイスをサポートするように構成される。表示モジュールは、図4のステップ402および403を実行する際に電子デバイスをサポートするように構成され得、さらに、グラフィカルユーザインタフェース、画像、データなどをユーザに表示し得る。記憶モジュールは、電子デバイスのプログラムコードおよびデータを記憶するように構成される。通信モジュールは、別のネットワークエンティティと通信する、例えば、サーバと通信する際に電子デバイスをサポートするように構成される。
【０２１５】
処理モジュールは、プロセッサまたはコントローラ、例えば、中央処理装置（central processing unit，CPU）、グラフィック処理ユニット（graphics processing unit，GPU）、汎用プロセッサ、デジタルシグナルプロセッサ（digital signal processor，DSP）、特定用途向け集積回路（application−specific integrated circuit，ASIC）、フィールドプログラマブルゲートアレイ（field programmable gate array，FPGA）、または別のプログラマブルロジックデバイス、トランジスタロジックデバイス、ハードウェアコンポーネント、またはそれらの組み合わせであってもよい。処理モジュールは、本出願に開示された内容を参照して説明されたさまざまな例示的な論理ブロック、モジュール、および回路を実装または実行することができる。あるいは、処理モジュールは、計算機能を実装するプロセッサの組み合わせ、例えば、1つまたは複数のマイクロプロセッサの組み合わせ、またはDSPとマイクロプロセッサの組み合わせであってもよい。
【０２１６】
表示モジュールは、ディスプレイであってもよく、ユーザによって入力された情報、ユーザに提供される情報、および端末のさまざまなメニューを表示するように構成されてもよい。具体的には、ディスプレイは、液晶ディスプレイや有機発光ダイオードなどの形態で構成されてもよい。また、タッチパッドはディスプレイにさらに統合されてもよく、タッチパッド上またはその近くでタッチイベントを収集し、収集したタッチ情報を別のコンポーネント（プロセッサなど）に送信するように構成される。
【０２１７】
記憶モジュールはメモリであってもよい。メモリは、高速RAMを含んでもよく、磁気ディスク記憶装置、フラッシュ記憶装置、または別の不揮発性固体記憶装置などの不揮発性メモリをさらに含んでもよい。
【０２１８】
通信モジュールは、別の端末またはサーバと相互作用する無線周波数回路、ブルートゥース(登録商標)チップ、またはWiFiチップなどのデバイスであってもよい。
【０２１９】
処理モジュールがプロセッサの場合、表示モジュールはディスプレイである。記憶モジュールがメモリである場合、本出願のこの実施形態における電子デバイスは、具体的には図3に示される携帯電話であってよい。
【０２２０】
本出願の実施形態は、コンピュータ記憶媒体をさらに提供する。コンピュータ記憶媒体は、コンピュータ命令を格納し、コンピュータ命令が電子デバイス上で実行されると、電子デバイスは、関連する方法ステップを実行して、前述の実施形態のアイコン表示方法を実施する。
【０２２１】
本出願の実施形態は、コンピュータプログラム製品をさらに提供する。コンピュータプログラム製品がコンピュータ上で実行されると、コンピュータは、前述の実施形態におけるアイコン表示方法を実施するための関連する方法ステップを実行することが可能になる。
【０２２２】
また、本出願の実施形態は装置をさらに提供する。装置は、具体的には、チップ、コンポーネント、またはモジュールであり得る。装置は、接続されたプロセッサおよびメモリを含み得る。メモリは、コンピュータ実行可能命令を格納するように構成され、装置の実行時に、プロセッサはメモリに格納されたコンピュータ実行可能命令を実行することができ、その結果、チップは前述の方法の実施形態におけるアイコン表示方法を実行する。
【０２２３】
本出願の実施形態で提供される電子デバイス、コンピュータ記憶媒体、コンピュータプログラム製品、またはチップは、上記の対応する方法を実行するように構成される。したがって、達成できる有益な効果については、上記の対応する方法の有益な効果を参照されたい。詳細はここでは再度説明しない。
【０２２４】
本出願の別の実施形態は、サーバを提供する。図18を参照すると、サーバ1800は、生成ユニット1801および送信ユニット1802を含み得る。生成ユニット1801は、指示情報を生成し、指示情報は、第1のアプリケーションの第1のサービスアイテムの識別子を含む際に、および／または本明細書に記載の技術の別のプロセスを実行する際に、サーバ1800をサポートするように構成され得る。送信ユニット1802は、指示情報を電子デバイスに送信し、指示情報は、第1のサービスアイテムを決定し、表示インタフェース上に第1のサービスアイテムに対応するアイコンを表示するように電子デバイスに命令するために使用される際に、および／または本明細書に記載の技術の別のプロセスを実行する際に、サーバ1800をサポートするように構成され得る。
【０２２５】
図19は、本出願の一実施形態によるサーバ1900のハードウェアの概略構造図である。サーバ1900は、少なくとも1つのプロセッサ1901、通信バス1902、メモリ1903、および少なくとも1つの通信インタフェース1904を含み得る。
【０２２６】
プロセッサ1901は、本出願の解決策のプログラム実行を制御するように構成された汎用CPU、マイクロプロセッサ、ASIC、または1つまたは複数の集積回路であり得る。
【０２２７】
通信バス1902は、前述のコンポーネント間で情報を送信するためのチャネルを含み得る。
【０２２８】
通信インタフェース1904は、トランシーバなどの任意の装置であり、別のデバイス、またはイーサネット、無線アクセスネットワーク（radio access network，RAN）、もしくは無線ローカルエリアネットワーク（wireless local area networks，WLAN）などの通信ネットワークと通信するように構成されている。
【０２２９】
メモリ1903は、限定されないが、静的情報および命令を格納できるROMもしくは別のタイプの静的記憶装置、または情報および命令を格納できるRAMもしくは別のタイプの動的記憶装置、または電気的に消去可能なプログラム可能な読み取り専用メモリ、コンパクトディスク読み取り専用メモリ、その他のコンパクトディスクストレージ、または光ディスクストレージ（圧縮された光ディスク、レーザディスク、光ディスク、デジタル多用途ディスク、ブルーレイ光ディスクなどを含む）、磁気ディスク記憶媒体もしくは別の磁気記憶デバイス、または命令もしくはデータ構造の形式で予期されるプログラムコードを運ぶまたは格納するために使用できかつコンピュータからアクセスできる任意の他の媒体であってもよい。メモリは独立して存在してもよく、バスを使用してプロセッサに接続される。あるいは、メモリはプロセッサと統合されてもよい。
【０２３０】
メモリ1903は、本出願の解決策を実行するために使用されるアプリケーションプログラムコードを格納するように構成され、プロセッサ1901は、実行を制御する。プロセッサ1901は、メモリ1903に格納されたアプリケーションプログラムコードを実行して、本出願の以下の実施形態で提供されるサービス継続性実装方法を実装するように構成される。
【０２３１】
特定の実装において、一実施形態では、プロセッサ1901は、1つまたは複数のCPU、例えば図19のCPU0およびCPU1を含むことができる。
【０２３２】
特定の実装において、一実施形態では、サーバ1900は、図19のプロセッサ1901およびプロセッサ1908などの複数のプロセッサを含むことができる。これらの各プロセッサは、シングルコア（single−CPU）プロセッサでもよく、マルチコア（multi−CPU）プロセッサでもよい。本明細書のプロセッサは、データ（例えば、コンピュータプログラム命令）を処理するための1つまたは複数のデバイス、回路、および／または処理コアであってもよい。
【０２３３】
特定の実装において、一実施形態では、サーバ1900は、出力デバイス1905および入力デバイス1906をさらに含むことができる。出力デバイス1905は、プロセッサ1901と通信し、複数の方法で情報を表示することができる。例えば、出力デバイス1905は、液晶ディスプレイ（liquid crystal display，LCD）、発光ダイオード（light emitting diode，LED）ディスプレイ装置、陰極線管（cathode ray tube，CRT）表示装置、またはプロジェクタ（projector）でもよい。入力デバイス1906は、プロセッサ1901と通信し、複数の方法でユーザの入力を受け取ることができる。例えば、入力デバイス1906は、マウス、キーボード、タッチスクリーンデバイス、または検知デバイスでもよい。
【０２３４】
本出願の別の実施形態は、システムをさらに提供する。図20を参照すると、システムは、電子デバイス101、ネットワーク102、およびサーバ103を含むことができる。電子デバイス101は、ネットワーク102を使用して、サービスアイテムを利用する日付、時間、シナリオモードなどの情報をサーバ103に送信する。サーバ103は、ネットワーク102を使用して電子デバイス101に指示情報を送信し、第1のサービスアイテムを決定し、表示インタフェース上に第1のサービスアイテムに対応するアイコンを表示するように電子デバイスに命令する。
【０２３５】
実装に関する前述の説明により、当業者は、便利で簡潔な説明の目的で、前述の機能モジュールの分割が例示のための一例として使用されていることを理解することができる。実際の応用では、前述の機能をさまざまなモジュールに割り当てて要件に基づいて実装でき、つまり、装置の内部構造をさまざまな機能モジュールに分割して、前述の機能のすべてまたは一部を実装できる。
【０２３６】
本出願で提供されるいくつかの実施形態では、開示された装置および方法は、他の態様で実現されてもよいことが理解されるべきである。例えば、説明した装置の実施形態は単なる例である。例えば、モジュールまたはユニットの部分は単に論理機能の部分であり、実際の実装においては他の部分であってもよい。例えば、複数のユニットまたはコンポーネントが組み合わされてもよく、または別の装置に統合されてもよく、あるいは、一部の機能が無視されて、実行されなくてもよい。また、表示されたまたは議論された相互結合または直接的な結合もしくは通信接続は、いくつかのインタフェースを使用することによって実現されてもよい。装置またはユニット間の間接的な結合または通信接続は、電子的に、機械的に、または他の形式で実現されてもよい。
【０２３７】
別々の部分として記載されたユニットは、物理的に分離されていてもいなくてもよく、ユニットとして表示された部分は、1つまたは複数の物理的なユニットであってもよく、1つの位置に配置されていてもよく、または異なる場所に分散されていてもよい。ユニットの一部またはすべては、本実施形態の解決策の目的を達成するために実際のニーズに基づいて選択されてもよい。
【０２３８】
また、本出願の実施形態における機能ユニットは、1つの処理ユニットに統合されてもよく、または各ユニットは、単独で、物理的に存在してもよく、または2つ以上のユニットが1つのユニットに統合されてもよい。統合ユニットは、ハードウェアの形態で実装されてもよく、またはソフトウェア機能ユニットの形態で実装されてもよい。
【０２３９】
統合ユニットが、ソフトウェア機能ユニットの形態で実装され、独立した製品として販売または使用される場合、統合ユニットは、読み取り可能な記憶媒体に格納されてもよい。このような理解に基づいて、基本的に本出願の実施形態の技術的解決策、または従来技術に寄与する部分、または技術的解決策のすべてもしくは一部は、ソフトウェア製品の形態で実現され得る。ソフトウェア製品は、記憶媒体に格納され、本出願の実施形態に記載の方法のステップのすべてまたは一部を実行するために、デバイス（シングルチップマイクロコンピュータ、チップなどであってもよい）またはプロセッサを指示するためのいくつかの命令を含む。前述の記憶媒体は、例えば、USBフラッシュドライブ、リムーバブルハードディスク、ROM、RAM、磁気ディスク、または光ディスクなどの、プログラムコードを格納することができる任意の媒体を含む。
【０２４０】
前述の説明は、本出願の単なる特定の実装形態であり、本出願の保護範囲を限定することを意図されていない。本出願で開示されている技術的範囲内のすべての変更または置換は、本出願の保護範囲内にあるものとする。
【符号の説明】
【０２４１】
101  電子デバイス
102  ネットワーク
103  サーバ
200  携帯電話
210  プロセッサ
220  通信モジュール
221  セルラモジュール
223  Wi−Fiモジュール
227  GPSモジュール
229  RFモジュール
230  メモリ
232  内部メモリ
234  外部メモリ
240  センサモジュール
240A  ジェスチャセンサ
240B  ジャイロスコープセンサ
240C  圧力センサ
240D  磁気センサ
240E  加速度センサ
250  入力デバイス
252  タッチパネル
254  ペンセンサ
256  ボタン
258  超音波入力デバイス
259  入力感知モジュール
260  ディスプレイ
262  表示パネル
264  ホログラフィックデバイス
266  プロジェクタ
280  オーディオモジュール
282  ラウドスピーカ
284  レシーバ
286  ヘッドセット
288  マイクロフォン
291  カメラモジュール
295  電力管理モジュール
296  バッテリ
700  インタフェース
701,702  表示インタフェース
703,704,1100  第1の表示インタフェース
1201,1202,1203,1204,1401,1501  領域
1700  電子デバイス
1701  決定ユニット
1702  表示ユニット
1800  サーバ
1801  生成ユニット
1802  送信ユニット
1900  サーバ
1901  プロセッサ
1902  通信バス
1903  メモリ
1904  通信インタフェース
1905  出力デバイス
1906  入力デバイス
1908  プロセッサ
【図１（ａ）】
2020537794.tif 000009
【図１（ｂ）】
2020537794.tif 000010
【図１（ｃ）】
2020537794.tif 000011
【図１（ｄ）】
2020537794.tif 000012
【図１（ｅ）】
2020537794.tif 000013
【図２（ａ）】
2020537794.tif 000014
【図２（ｂ）】
2020537794.tif 000015
【図２（ｃ）】
2020537794.tif 000016
【図２（ｄ）】
2020537794.tif 000017
【図２（ｅ）】
2020537794.tif 000018
【図３】
2020537794.tif 000019
【図４】
2020537794.tif 000020
【図５ａ】
2020537794.tif 000021
【図５ｂ】
2020537794.tif 000022
【図６】
2020537794.tif 000023
【図７】
2020537794.tif 000024
【図８】
2020537794.tif 000025
【図９】
2020537794.tif 000026
【図１０】
2020537794.tif 000027
【図１１ａ】
2020537794.tif 000028
【図１１ｂ】
2020537794.tif 000029
【図１２】
2020537794.tif 000030
【図１３ａ】
2020537794.tif 000031
【図１３ｂ】
2020537794.tif 000032
【図１３ｃ】
2020537794.tif 000033
【図１３ｄ】
2020537794.tif 000034
【図１４】
2020537794.tif 000035
【図１５】
2020537794.tif 000036
【図１６】
2020537794.tif 000037
【図１７】
2020537794.tif 000038
【図１８】
2020537794.tif 000039
【図１９】
2020537794.tif 000040
【図２０】
2020537794.tif 000041
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
電子デバイスによって、前記電子デバイスの第1のサービスアイテムとシナリオモードとの間の対応関係を保存するステップであって、前記第1のサービスアイテムは、前記電子デバイスのアプリケーションのサブメニューまたはサブサービスアイテムと対応する、ステップと、
前記電子デバイスによって、前記電子デバイスのためのシナリオモードを設定するユーザ入力を受信するステップと、
前記電子デバイスのためのシナリオモードを設定するユーザ入力を受信することに応答して、前記電子デバイスによって、保存された対応関係に基づいて、前記第1のサービスアイテムを決定するステップと、
前記電子デバイスによって、前記電子デバイスのディスプレイ上に、前記第1のサービスアイテムにアクセスするためのショートカットを提供するステップと、
前記電子デバイスによって、提供されたショートカットに基づいて、前記第1のサービスアイテムにアクセスするためのユーザ入力を受信するステップと、
前記電子デバイスによって、受信されたユーザ入力に基づいて、前記第1のサービスアイテムの対話インタフェースを表示するステップとを含む、
方法。
【請求項２】
前記電子デバイスのシナリオモードは、前記電子デバイスの機内モードである、請求項1に記載の方法。
【請求項３】
前記ショートカットは、前記アプリケーションのアプリケーションアイコンを含む、請求項1または2に記載の方法。
【請求項４】
前記電子デバイスによって、優先表示領域を設定するユーザ入力を受信するステップと、
前記電子デバイスによって、前記優先表示領域を保存するステップとを更に含み、
前記ディスプレイ上にショートカットを提供することは、前記優先表示領域に基づく、
請求項1から3のいずれか一項に記載の方法。
【請求項５】
前記第1のサービスアイテムは、複数の優先度のうちの第1の優先度に対応し、
前記ディスプレイ上にショートカットを提供することは、前記第1の優先度に対応するディスプレイ上の第1の表示領域に、ショートカットを提供することを含み、
前記電子デバイスによって、複数の優先度のうちの第2の優先度に対応するディスプレイ上の第2の表示領域に、第2のサービスアイテムにアクセスするための第2のショートカットを提供するステップを含む、
請求項1から4のいずれか一項に記載の方法。
【請求項６】
前記電子デバイスは、携帯電話である、請求項1から5のいずれか一項に記載の方法。
【請求項７】
プロセッサと、その上に格納されるプロセッサ実行可能命令を有する非一時的コンピュータ読み取り可能な媒体とを備える電子デバイスであって、前記プロセッサ実行可能命令は、前記プロセッサによって実行されるときに、
前記電子デバイスの第1のサービスアイテムとシナリオモードとの間の対応関係を保存するステップであって、前記第1のサービスアイテムは、前記電子デバイスのアプリケーションのサブメニューまたはサブサービスアイテムに対応する、ステップと、
前記電子デバイスのためのシナリオモードを設定するユーザ入力を受信するステップと、
前記電子デバイスのためのシナリオモードを設定するユーザ入力を受信することに応答して、
保存された対応関係に基づいて、前記第1のサービスアイテムを決定するステップと、
前記電子デバイスのディスプレイ上に、前記第1のサービスアイテムにアクセスするためのショートカットを提供するステップとを推進する、
電子デバイス。
【請求項８】
前記プロセッサ実行可能命令は、前記プロセッサによって実行されるときに、
提供されたショートカットに基づいて、前記第1のサービスアイテムにアクセスするためのユーザ入力を受信するステップと、
受信されたユーザ入力に基づいて、前記第1のサービスアイテムの対話インタフェースを表示するステップとを更に推進する、
請求項7に記載の電子デバイス。
【請求項９】
前記電子デバイスのシナリオモードは、前記電子デバイスの機内モードである、請求項7または8に記載の電子デバイス。
【請求項１０】
前記ショートカットは、前記アプリケーションのアプリケーションアイコンを含む、請求項7から9のいずれか一項に記載の電子デバイス。
【請求項１１】
前記プロセッサ実行可能命令は、前記プロセッサによって実行されるときに、
優先表示領域を設定するユーザ入力を受信するステップと、
前記優先表示領域を保存するステップとを更に推進し、
前記ディスプレイ上にショートカットを提供することは、前記優先表示領域に基づく、
請求項7から10のいずれか一項に記載の電子デバイス。
【請求項１２】
前記第1のサービスアイテムは、複数の優先度のうちの第1の優先度に対応し、
前記ディスプレイ上にショートカットを提供することは、前記第1の優先度に対応するディスプレイ上の第1の表示領域に、ショートカットを提供することを含み、
複数の優先度のうちの第2の優先度に対応するディスプレイ上の第2の表示領域に、第2のサービスアイテムにアクセスするための第2のショートカットを提供するステップを含む、
請求項7から11のいずれか一項に記載の電子デバイス。
【請求項１３】
前記電子デバイスは、携帯電話である、請求項7から12のいずれか一項に記載の電子デバイス。
【請求項１４】
その上に格納されるプロセッサ実行可能命令を有する非一時的コンピュータ読み取り可能な媒体であって、前記プロセッサ実行可能命令は、実行されるときに、
電子デバイスの第1のサービスアイテムとシナリオモードとの間の対応関係を保存するステップであって、前記第1のサービスアイテムは、前記電子デバイスのアプリケーションのサブメニューまたはサブサービスアイテムに対応する、ステップと、
前記電子デバイスのためのシナリオモードを設定するユーザ入力を受信するステップと、
前記電子デバイスのためのシナリオモードを設定するユーザ入力を受信することに応答して、
保存された対応関係に基づいて、前記第1のサービスアイテムを決定するステップと、
前記電子デバイスのディスプレイ上に、前記第1のサービスアイテムにアクセスするためのショートカットを提供するステップとを推進する、
非一時的コンピュータ読み取り可能な媒体。
【請求項１５】
前記プロセッサ実行可能命令は、実行されるときに、
提供されたショートカットに基づいて、前記第1のサービスアイテムにアクセスするためのユーザ入力を受信するステップと、
受信されたユーザ入力に基づいて、前記第1のサービスアイテムの対話インタフェースを表示するステップとを更に推進する、
請求項14に記載の非一時的コンピュータ読み取り可能な媒体。
【請求項１６】
前記電子デバイスのシナリオモードは、前記電子デバイスの機内モードである、請求項14または15に記載の非一時的コンピュータ読み取り可能な媒体。
【請求項１７】
前記ショートカットは、前記アプリケーションのアプリケーションアイコンを含む、請求項14から16のいずれか一項に記載の非一時的コンピュータ読み取り可能な媒体。
【請求項１８】
前記プロセッサ実行可能命令は、実行されるときに、
優先表示領域を設定するユーザ入力を受信するステップと、
前記優先表示領域を保存するステップとを更に推進し、
前記ディスプレイ上にショートカットを提供することは、前記優先表示領域に基づく、
請求項14から17のいずれか一項に記載の非一時的コンピュータ読み取り可能な媒体。
【請求項１９】
前記第1のサービスアイテムは、複数の優先度のうちの第1の優先度に対応し、
前記ディスプレイ上にショートカットを提供することは、前記第1の優先度に対応するディスプレイ上の第1の表示領域に、ショートカットを提供することを含み、
前記複数の優先度のうちの第2の優先度に対応するディスプレイ上の第2の表示領域に、第2のサービスアイテムにアクセスするための第2のショートカットを提供するステップを含む、
請求項14から18のいずれか一項に記載の非一時的コンピュータ読み取り可能な媒体。
【請求項２０】
前記電子デバイスは、携帯電話である、請求項14から19のいずれか一項に記載の非一時的コンピュータ読み取り可能な媒体。
【国際調査報告】
2020537794.tif 000042
2020537794.tif 000043
2020537794.tif 000044
2020537794.tif 000045